(57)【要約】  この出願は、無線周波数識別システム、中継ネットワークを構築する方法、リーダ、及びリピータを開示している。無線周波数識別システムは、リーダ、リピータ、及びターゲットタグを含む。リーダは、リピータに第1の信号を送信するように構成される。リピータは、第1の信号に基づいて、ターゲットタグに励起信号を送信するように構成される。ターゲットタグは、励起信号の励起に基づいて、ターゲット後方散乱信号を送信するように構成され、ターゲット後方散乱信号は、電子製品コード情報を搬送する。リーダは、さらに、ターゲット後方散乱信号を受信し、そして、ターゲット後方散乱信号の中の電子製品コード情報を取得する、ように構成される。この出願の無線周波数識別システムを使用することによって、その全体的な無線周波数識別システムの通信距離を増加させることが可能である。
2021517693.tif 000002
【特許請求の範囲】
【請求項１】
リーダ、リピータ、及びターゲットタグを含む無線周波数識別システムであって、
前記リーダは、前記リピータに第1の信号を送信するように構成され、
前記リピータは、前記第1の信号に基づいて、前記ターゲットタグに励起信号を送信するように構成され、
前記ターゲットタグは、前記励起信号の励起に基づいて、ターゲット後方散乱信号を送信するように構成され、前記ターゲット後方散乱信号は、電子製品コード情報を搬送し、
前記リーダは、さらに、前記ターゲット後方散乱信号を受信し、そして、前記ターゲット後方散乱信号の中の前記電子製品コード情報を取得する、ように構成される、
システム。
【請求項２】
前記第1の信号は、励起パラメータを搬送し、前記第1の信号に基づいて前記ターゲットタグに前記励起信号を送信するときに、前記リピータは、特に、
前記リピータによって、前記第1の信号から前記励起パラメータを取得し、
前記リピータによって、前記励起パラメータに基づいて、前記励起信号を生成し、そして、
前記リピータによって前記ターゲットタグに、前記励起信号を送信する、ように構成される、請求項1に記載のシステム。
【請求項３】
前記第1の信号に基づいて前記ターゲットタグに前記励起信号を送信するときに、前記リピータは、特に、
前記リーダが送信する前記第1の信号を前記リピータによって受信し、そして、
前記リピータによって、前記ターゲットタグに前記第1の信号を送信する、ように構成され、前記第1の信号は、前記励起信号である、請求項1に記載のシステム。
【請求項４】
前記リピータは、第1の周波数で、前記リーダが送信する前記第1の信号を受信し、前記リピータは、前記第2の周波数で、前記ターゲットタグに前記励起信号を送信する、請求項2又は3に記載のシステム。
【請求項５】
前記励起信号の前記励起に基づいて後方散乱信号を送信するときに、前記ターゲットタグは、特に、
前記励起信号の前記励起に基づいて、前記ターゲットタグによって前記リーダに、直接的に、前記ターゲット後方散乱信号を送信する、ように構成される、請求項1乃至4のうちのいずれか1項に記載のシステム。
【請求項６】
前記励起信号の前記励起に基づいて後方散乱信号を送信するときに、前記ターゲットタグは、特に、
前記励起信号の前記励起に基づいて、前記ターゲットタグによって前記リピータに、前記ターゲット後方散乱信号を送信するように構成され、
前記リピータは、さらに、前記リーダに前記ターゲット後方散乱信号を送信するように構成される、請求項1乃至4のうちのいずれか1項に記載のシステム。
【請求項７】
当該システムは、基準タグをさらに含み、
前記リピータは、さらに、前記第1の信号に基づいて、前記基準タグに前記励起信号を送信するように構成され、
前記基準タグは、前記励起信号に基づいて、基準後方散乱信号を送信するように構成され、
前記リーダは、さらに、前記基準後方散乱信号及び前記ターゲット後方散乱信号に基づいて、前記基準タグと前記ターゲットタグとの間の位置関係を決定し、そして、前記基準タグと前記ターゲットタグとの間の前記位置関係及び前記基準タグの位置情報に基づいて、前記ターゲットタグの位置情報を決定する、ように構成される、請求項1乃至6のうちのいずれか1項に記載のシステム。
【請求項８】
中継ネットワークを構築するための方法であって、前記中継ネットワークは、リーダ及び少なくとも1つのリピータを含み、当該方法は、
前記リピータが報告する識別情報を前記リーダによって受信するステップであって、前記識別情報は、前記リピータを一意に識別するのに使用される、ステップと、
前記リーダによって、前記リピータが報告する前記識別情報に基づいて、前記リピータが合法的であるか否かを決定するステップと、
前記リピータが合法的であるということを決定するときに、前記リーダによって前記リピータに、第1の情報を送信するステップと、を含み、前記第1の情報は、前記中継ネットワークに接続するように前記リピータに通知するのに使用される、
方法。
【請求項９】
前記リピータが報告する識別情報を前記リーダによって受信する前記ステップの前に、当該方法は、
前記リーダによって第2の情報を送信するステップをさらに含み、前記第2の情報は、前記識別情報を報告するように前記リピータに通知するのに使用される、請求項8に記載の方法。
【請求項１０】
前記リーダによって前記リピータに、第1の情報を送信する前記ステップの後に、当該方法は、
前記リーダによって前記リピータに第3の情報を送信するステップであって、前記第3の情報は、同期を開始するように前記リピータに通知するのに使用される、ステップと、
前記リピータが送信する第4の情報を前記リーダによって受信するステップであって、前記第4の情報は、前記リーダと前記リピータとの間の同期調整のために使用される、ステップと、
前記リーダによって、前記第4の情報に基づいて、前記リーダと前記リピータとの間の同期調整オフセットを計算するステップと、
前記リーダによって前記リピータに第5の情報を送信するステップと、を含み、前記第5の情報は、前記リーダと前記リピータとの間の前記同期調整オフセットを搬送し、前記第5のメッセージは、前記リピータが、前記同期調整を実行して、前記リーダとの同期を維持するのに使用される、請求項8又は9に記載の方法。
【請求項１１】
前記中継ネットワークが複数のリピータを含むときに、当該方法は、
前記リーダによって、周波数分割多元接続方式、時分割多元接続方式、又は符号分割多元接続方式等の方式によって、ターゲットタグに励起信号を送信するように前記複数のリピータをスケジューリングするステップをさらに含み、前記励起信号は、前記後方散乱信号を送信するように前記ターゲットタグを励起するのに使用される、請求項8乃至10のうちのいずれか1項に記載の方法。
【請求項１２】
中継ネットワークを構築するための方法であって、前記中継ネットワークは、リーダ及び少なくとも1つのリピータを含み、当該方法は、
前記リピータによって、前記リピータの識別情報を取得するステップであって、前記識別情報は、前記リピータを一意に識別するのに使用される、ステップと、前記リピータによって前記識別情報を報告するステップと、を含む、
方法。
【請求項１３】
前記リピータによって前記識別情報を報告する前記ステップの前に、当該方法は、
前記リーダが送信する第2の情報を前記リピータによって受信するステップをさらに含み、前記第2の情報は、前記識別情報を報告するように前記リピータに通知するのに使用される、請求項12に記載の方法。
【請求項１４】
当該方法は、
前記リーダが送信する第3の情報を前記リピータによって受信するステップであって、前記第3の情報は、同期を開始するように前記リピータに通知するのに使用される、ステップと、
前記リピータによって第4の情報を送信するステップであって、前記第4の情報は、前記リーダと前記リピータとの間の同期調整のために使用される、ステップと、
前記リーダが送信する第5の情報を前記リピータによって受信するステップであって、前記第5の情報は、前記リーダと前記リピータとの間の同期調整オフセットを搬送する、ステップと、
前記リピータによって、前記第5の情報の中で搬送される前記同期調整オフセットに基づいて、前記リーダとの同期を維持するステップと、をさらに含む、請求項12又は13に記載の方法。
【請求項１５】
中継ネットワークの中のリーダであって、前記中継ネットワークは、少なくとも1つのリピータを含み、当該リーダは、
前記リピータが報告する識別情報を受信するように構成されるトランシーバーユニットであって、前記識別情報は、前記リピータを一意に識別するのに使用される、トランシーバユニットと、
前記リピータが報告する前記識別情報に基づいて、前記リピータが合法的であるか否かを決定するように構成される処理ユニットと、を含み、
前記トランシーバユニットは、さらに、前記リピータが合法的であるということを決定するときに、前記リピータに第1の情報を送信するように構成され、前記第1の情報は、前記中継ネットワークに接続するように前記リピータに通知するのに使用される、
リーダ。
【請求項１６】
前記トランシーバーユニットは、さらに、  
前記リピータが報告する前記識別情報を受信する前に、第2の情報を送信するように構成され、前記第2の情報は、前記識別情報を報告するように前記リピータに通知するのに使用される、請求項15に記載のリーダ。
【請求項１７】
前記トランシーバーユニットは、さらに、前記リピータに第3の情報を送信し、前記第3の情報は、同期を開始するように前記リピータに通知するのに使用され、そして、前記リピータが送信する第4の情報を受信する、ように構成され、前記第4の情報は、当該リーダと前記リピータとの間の同期調整のために使用され、
前記処理ユニットは、さらに、前記第4の情報に基づいて、当該リーダと前記リピータとの間の同期調整オフセットを計算するように構成され、
前記トランシーバーユニットは、さらに、前記リピータに第5の情報を送信するように構成され、前記第5の情報は、当該リーダと前記リピータとの間の前記同期調整オフセットを搬送し、前記第5のメッセージは、前記リピータが、前記同期調整を実行して、当該リーダとの同期を維持するのに使用される、請求項15又は16に記載のリーダ。
【請求項１８】
前記中継ネットワークが複数のリピータを含むときに、前記処理ユニットは、さらに、
周波数分割多元接続方式、時分割多元接続方式、又は符号分割多元接続方式等の方式によって、ターゲットタグに励起信号を送信するように前記複数のリピータをスケジューリングするように構成され、前記励起信号は、後方散乱信号を送信するように前記ターゲットタグを励起するのに使用される、請求項15乃至17のうちのいずれか1項に記載のリーダ。
【請求項１９】
中継ネットワークの中のリピータであって、前記中継ネットワークは、リーダをさらに含み、当該リピータは、
当該リピータの識別情報を取得するように構成される処理ユニットであって、前記識別情報は、当該リピータを一意に識別するのに使用される、処理ユニットと、
前記識別情報を報告するように構成されるトランシーバーユニットと、を含む、
リピータ。
【請求項２０】
前記トランシーバーユニットは、さらに、前記識別情報を報告する前に、前記リーダが送信する第2の情報を受信するように構成され、前記第2の情報は、前記識別情報を報告するように当該リピータに通知するのに使用される、請求項19に記載のリピータ。
【請求項２１】
前記トランシーバーユニットは、さらに、前記リーダが送信する第3の情報を受信し、前記第3の情報は、同期を開始するように前記リピータに通知するのに使用され、第4の情報を送信し、前記第4の情報は、前記リーダと当該リピータとの間の同期調整のために使用され、そして、前記リーダが送信する第5の情報を受信する、ように構成され、前記第5の情報は、前記リーダと当該リピータとの間の同期調整オフセットを搬送し、
前記処理ユニットは、さらに、前記第5の情報の中で搬送される前記同期調整オフセットに基づいて、当該リピータと前記リーダとの間の同期を維持するように構成される、請求項19又は20に記載のリピータ。
【請求項２２】
中継ネットワークの中のリーダであって、プロセッサ及びメモリを含み、
前記メモリは、コンピュータプログラム命令を格納し、
前記プロセッサは、前記メモリの中に格納されている前記コンピュータプログラム命令を実行して、請求項8乃至11のうちのいずれか1項に記載の方法を実行するように構成される、
リーダ。
【請求項２３】
中継ネットワークの中のリピータであって、プロセッサ及びメモリを含み、
前記メモリは、コンピュータプログラム命令を格納し、
前記プロセッサは、前記メモリの中に格納されている前記コンピュータプログラム命令を実行して、請求項12乃至14のうちのいずれか1項に記載の方法を実行するように構成される、
リピータ。
【請求項２４】
コンピュータ読み取り可能な記憶媒体であって、当該コンピュータ読み取り可能な記憶媒体は、命令を格納し、前記命令がコンピュータによって実行されるときに、請求項8乃至14のうちのいずれか1項に記載の方法を前記コンピュータが実行することを可能とする、コンピュータ読み取り可能な記憶媒体。
【発明の詳細な説明】
【技術分野】
【０００１】
[関連出願への相互参照]
この出願は、2018年3月28日付で中国特許庁に出願された"無線周波数識別システム、中継ネットワークを構築する方法、リーダ、及びリピータ"と題する中国特許出願番号第201810267215.8号に基づく優先権を主張し、その内容は、その全体が参照により本明細書に組み込まれる。
【０００２】
[技術分野]
この出願は、無線通信技術の分野に関し、特に、無線周波数識別システム、中継ネットワークを構築する方法、リーダ、及びリピータに関する。
【背景技術】
【０００３】
無線周波数識別技術は、非接触の且つ自動的な識別技術である。無線周波識別技術においては、無線周波数信号を使用することによって目的の対象物を自動的に識別し、そして、関連するデータを取得する。手作業を介在させることなく、過酷な環境において識別プロセスを実装することが可能である。
【０００４】
現在、従来の無線周波数識別システムは、タグ及びリーダを含む。無線周波数識別の全体的な作業プロセスは、リーダによるタグへの励起信号の送信、その励起信号の励起によるタグからリーダへの後方散乱信号の送信であって、その後方散乱信号はデータ情報を搬送してもよい、後方散乱信号の送信、及び、リーダによるその後方散乱信号の受信及び解析によるそのタグのデータ情報の取得であってもよい。
【０００５】
従来の無線周波数識別システムにおいては、リーダは、タグに直接的に励磁信号を送信し、通信距離は、比較的小さい。
【発明の概要】
【０００６】
この出願は、無線周波数識別システムを提供して、その無線周波数識別システムの通信距離を増加させる。
【０００７】
第1の態様によれば、この出願は、無線周波数識別システムを提供する。その無線周波数識別システムは、リーダ、リピータ、及びターゲットタグを含む。前記リーダは、前記リピータに第1の信号を送信するように構成される。前記リピータは、前記第1の信号に基づいて、前記ターゲットタグに励起信号を送信するように構成される。前記ターゲットタグは、前記励起信号の励起に基づいて、ターゲット後方散乱信号を送信するように構成され、前記ターゲット後方散乱信号は、電子製品コード情報を搬送する。前記リーダは、さらに、前記ターゲット後方散乱信号を受信し、そして、前記ターゲット後方散乱信号の中の前記電子製品コード情報を取得する、ように構成される。
【０００８】
上記の説明から、この出願のこの実施形態においては、リーダは、最初に、リピータに第1の信号を送信し、リピータは、その次に、第1の信号に基づいて、ターゲットタグに励起信号を送信するということを理解することが可能である。リーダがターゲットタグに励起信号を直接的に送信する従来技術と比較して、リーダとターゲットタグとの間の通信距離を増加させることが可能である。加えて、もとの無線周波数識別システムにおいては、全体的なシステムは、1つのリーダ及びタグを有しているにすぎないため、そのリーダは、タグに励起信号を送信し、そして、そのタグが送信する後方散乱信号を受信する必要がある。無線周波数識別システム全体は全二重であるため、励起信号は、後方散乱信号が受信されている間に送信されてもよい。励起信号及び後方散乱信号は、互いに干渉する。結果として、リーダは、後方散乱信号を受信する感度が相対的に低くなる。これに対して、本願によって提供される無線周波数識別システムにおいては、リーダは、もはや、励起信号を送信せず、一方で、リピータは、励起信号を送信し、それによって、そのリーダは、もはや、後方散乱信号を受信している間に、励起信号を送信せず、その後方散乱信号は、もはや、励起信号によって干渉を受けることはなく、その結果、リーダによる後方散乱信号の受信の感度を改善する。
【０００９】
ある1つの可能な設計において、前記第1の信号は、励起パラメータを搬送し、前記リピータが前記第1の信号に基づいて前記ターゲットタグに前記励起信号を送信するある1つの特定の実装プロセスは、前記リピータによって、前記第1の信号から前記励起パラメータを取得し、前記リピータによって、前記励起パラメータに基づいて、前記励起信号を生成し、そして、前記リピータによって前記ターゲットタグに、前記励起信号を送信する、ことであってもよい。
【００１０】
上記の説明から、この出願のこの実施形態においては、リーダは、リピータが送信する励起信号の電力及び位相等の情報を制御してもよく、それによって、そのリーダは、そのリピータを制御するということを理解することが可能である。
【００１１】
ある1つの可能な設計において、前記第1の信号に基づいて前記ターゲットタグに前記励起信号を送信するときに、前記リピータは、特に、前記リーダが送信する前記第1の信号を前記リピータによって受信し、そして、前記リピータによって、前記ターゲットタグに前記第1の信号を送信する、ように構成され、前記第1の信号は、前記励起信号である。
【００１２】
上記の説明から、この出願のこの実施形態においては、リピータは、リーダが送信する励起信号に対して構文解析処理を実行する必要はなく、変換によって励起信号を直接的に転送し、それによって、そのリピータは、単純な機能及び比較的低い電力消費を有し、特に、移動可能なシナリオに適用可能であるということを理解することが可能である。
【００１３】
ある1つの可能な設計において、前記リピータは、第1の周波数で、前記リーダが送信する前記第1の信号を受信し、前記リピータは、前記第2の周波数で、前記ターゲットタグに前記励起信号を送信する。
【００１４】
ある1つの可能な設計において、前記ターゲットタグが前記励起信号の前記励起に基づいて前記後方散乱信号を送信するある1つの特定の実装プロセスは、前記励起信号の前記励起に基づいて、前記ターゲットタグによって前記リーダに、直接的に、前記ターゲット後方散乱信号を送信することであってもよく、或いは、前記励起信号の前記励起に基づいて、前記ターゲットタグによって前記リピータに、前記ターゲット後方散乱信号を送信することであってもよい。前記リピータは、さらに、前記リーダに前記ターゲット後方散乱信号を送信するように構成される。
【００１５】
ある1つの可能な設計において、当該システムは、基準タグをさらに含む。前記リピータは、さらに、前記第1の信号に基づいて、前記基準タグに前記励起信号を送信するように構成される。前記基準タグは、前記励起信号に基づいて、基準後方散乱信号を送信するように構成される。前記リーダは、さらに、前記基準後方散乱信号及び前記ターゲット後方散乱信号に基づいて、前記基準タグと前記ターゲットタグとの間の位置関係を決定し、そして、前記基準タグと前記ターゲットタグとの間の前記位置関係及び前記基準タグの位置情報に基づいて、前記ターゲットタグの位置情報を決定する、ように構成される。
【００１６】
上記の説明から、この出願のこの実施形態においては、基準タグが使用される上記の方式によって、ターゲットタグを正確に測位することが可能であるということを理解することが可能である。
【００１７】
第2の態様によれば、中継ネットワークを構築するための方法が提供される。前記中継ネットワークは、リーダ及び少なくとも1つのリピータを含む。当該方法は、前記リピータが報告する識別情報を前記リーダによって受信するステップであって、前記識別情報は、前記リピータを一意に識別するのに使用される、ステップと、前記リーダによって、前記リピータが報告する前記識別情報に基づいて、前記リピータが合法的であるか否かを決定するステップと、前記リピータが合法的であるということを決定するときに、前記リーダによって前記リピータに、第1の情報を送信するステップと、を含み、前記第1の情報は、前記中継ネットワークに接続するように前記リピータに通知するのに使用される。
【００１８】
ある1つの可能な設計において、前記リピータが報告する識別情報を前記リーダによって受信する前記ステップの前に、当該方法は、前記リーダによって第2の情報を送信するステップをさらに含み、前記第2の情報は、前記識別情報を報告するように前記リピータに通知するのに使用される。
【００１９】
ある1つの可能な設計において、前記リーダによって前記リピータに、第1の情報を送信する前記ステップの後に、当該方法は、前記リーダによって前記リピータに第3の情報を送信するステップであって、前記第3の情報は、同期を開始するように前記リピータに通知するのに使用される、ステップと、前記リピータが送信する第4の情報を前記リーダによって受信するステップであって、前記第4の情報は、前記リーダと前記リピータとの間の同期調整のために使用される、ステップと、前記リーダによって、前記第4の情報に基づいて、前記リーダと前記リピータとの間の同期調整オフセットを計算するステップと、前記リーダによって前記リピータに第5の情報を送信するステップと、を含み、前記第5の情報は、前記リーダと前記リピータとの間の前記同期調整オフセットを搬送し、前記第5のメッセージは、前記リピータが、前記同期調整を実行して、前記リーダとの同期を維持するのに使用される。
【００２０】
ある1つの可能な設計において、前記中継ネットワークが複数のリピータを含むときに、当該方法は、前記リーダによって、周波数分割多元接続方式、時分割多元接続方式、又は符号分割多元接続方式等の方式によって、ターゲットタグに励起信号を送信するように前記複数のリピータをスケジューリングするステップをさらに含み、前記励起信号は、後方散乱信号を送信するように前記ターゲットタグを励起するのに使用される。
【００２１】
第3の態様によれば、中継ネットワークを構築するための方法が提供される。前記中継ネットワークは、リーダ及び少なくとも1つのリピータを含む。当該方法は、前記リピータによって、前記リピータの識別情報を取得するステップであって、前記識別情報は、前記リピータを一意に識別するのに使用される、ステップと、前記リピータによって前記識別情報を報告するステップと、を含む。
【００２２】
ある1つの可能な設計において、前記リピータによって前記識別情報を報告する前記ステップの前に、当該方法は、前記リーダが送信する第2の情報を前記リピータによって受信するステップをさらに含み、前記第2の情報は、前記識別情報を報告するように前記リピータに通知するのに使用される。
【００２３】
ある1つの可能な設計において、当該方法は、前記リーダが送信する第3の情報を前記リピータによって受信するステップであって、前記第3の情報は、同期を開始するように前記リピータに通知するのに使用される、ステップと、前記リピータによって第4の情報を送信するステップであって、前記第4の情報は、前記リーダと前記リピータとの間の同期調整のために使用される、ステップと、前記リーダが送信する第5の情報を前記リピータによって受信するステップであって、前記第5の情報は、前記リーダと前記リピータとの間の同期調整オフセットを搬送する、ステップと、前記リピータによって、前記第5の情報の中で搬送される前記同期調整オフセットに基づいて、前記リーダとの同期を維持するステップと、をさらに含む。
【００２４】
第4の態様によれば、この出願は、中継ネットワークの中のリーダを提供する。中継ネットワークは、少なくとも1つのリピータをさらに含む。リーダは、第2の態様のステップのユニット又は手段(means)を実行するように構成される。
【００２５】
第5の態様によれば、この出願は、中継ネットワークの中のリピータを提供する。中継ネットワークは、リーダをさらに含む。リピータは、第3の態様のステップのユニット又は手段(means)を実行するように構成される。
【００２６】
第6の態様によれば、中継ネットワークの中のリーダが提供される。リーダは、プロセッサ及びメモリを含む。メモリは、コンピュータプログラム命令を格納する。プロセッサは、メモリの中に格納されているコンピュータプログラム命令を実行し、第2の態様にしたがった方法を実行するように構成される。
【００２７】
第7の態様によれば、中継ネットワークの中のリピータが提供される。リピータは、プロセッサ及びメモリを含む。メモリは、コンピュータプログラム命令を格納する。プロセッサは、メモリの中に格納されているコンピュータプログラム命令を実行し、第3の態様にしたがった方法を実行するように構成される。
【００２８】
第8の態様によれば、コンピュータ読み取り可能な記憶媒体が提供される。そのコンピュータ読み取り可能な記憶媒体は、命令を格納する。その命令がコンピュータによって実行されるときに、第2の態様又は第3の態様にしたがった方法をそのコンピュータが実行することを可能とする。
【００２９】
上記の説明から、この出願の複数の実施形態においては、リーダは、最初に、リピータに第1の信号を送信し、そのリピータは、その次に、その第1の信号に基づいて、ターゲットタグに励起信号を送信するということを理解することが可能である。リーダがターゲットタグに直接的に励起信号を送信する従来技術と比較して、リーダとターゲットタグとの間の通信距離を増加させることが可能である。
【図面の簡単な説明】
【００３０】
【図１】この出願のある1つの実施形態にしたがった無線周波数識別システムの概略的な図である。
【図２】この出願のある1つの実施形態にしたがった無線周波数識別システムの概略的な図である。
【図３】この出願のある1つの実施形態にしたがった無線周波数識別システムの概略的な図である。
【図４】この出願のある1つの実施形態にしたがった無線周波数識別システムの概略的な図である。
【図５】この出願のある1つの実施形態にしたがった無線周波数識別システムの概略的な図である。
【図６】この出願のある1つの実施形態にしたがったリピータ認証方法のフローチャートである。
【図７】この出願のある1つの実施形態にしたがったリピータ認証方法のフローチャートである。
【図８】この出願のある1つの実施形態にしたがったリピータ認証方法のフローチャートである。
【図９】この出願のある1つの実施形態にしたがったリピータ認証方法のフローチャートである。
【図１０】この出願のある1つの実施形態にしたがったリーダとリピータとの間の同期調整のフローチャートである。
【図１１】この出願のある1つの実施形態にしたがったリーダとリピータとの間の同期調整のフローチャートである。
【図１２】この出願のある1つの実施形態にしたがったリーダ及びリピータのスケジューリングの組合せの概略的な図である。
【図１３】この出願のある1つの実施形態にしたがった中継ネットワークの中のリーダの概略的な構成図である。
【図１４】この出願のある1つの実施形態にしたがった中継ネットワークの中のリピータの概略的な構成図である。
【図１５】この出願のある1つの実施形態にしたがった中継ネットワークの中のリーダの概略的な構成図である。
【図１６】この出願のある1つの実施形態にしたがった中継ネットワークの中のリピータの概略的な構成図である。
【発明を実施するための形態】
【００３１】
図1に示されているように、この出願のある1つの実施形態は、無線周波数識別システム100を提供する。その無線周波数識別システム100は、リーダ(reader)101、リピータ(repeater)102、及びターゲットタグ103を含む。
【００３２】
リーダ101は、リピータ102に第1の信号を送信するように構成される。
【００３３】
リピータ102は、第1の信号に基づいて、ターゲットタグ103に励起信号を送信するように構成される。
【００３４】
ターゲットタグ103は、励起信号の励起に基づいて、ターゲット後方散乱信号を送信するように構成され、そのターゲット後方散乱信号は、電子製品コード(electronic  product  code,  EPC)情報を搬送する。
【００３５】
この出願のある1つの例において、図2に示されているように、ターゲットタグ103は、リーダ101に直接的にターゲット後方散乱信号を送信してもよい。
【００３６】
この出願の他の例において、図3に示されているように、ターゲットタグ103は、リピータ102にターゲット後方散乱信号を送信してもよく、そのリピータ102は、リーダ101にそのターゲット後方散乱信号を転送してもよい。
【００３７】
リーダ101は、さらに、ターゲット後方散乱信号を受信し、そして、後方散乱信号の中のEPC情報を取得する、ように構成される。
【００３８】
この出願のこの実施形態においては、EPC情報は、ターゲットタグ103の中に格納されていてもよい。EPC情報は、次世代製品識別コードであり、サプライチェーンの中での(例えば、品目、容器、パレット、及び位置等の)対象に対して、全世界的に一意の識別を実行してもよい。
【００３９】
この出願のこの実施態様において、リーダ101は、また、受信機等と称されてもよい。リーダ101の機能は、代替的に、基地局の中のベースバンドユニット(radio  remote  unit,  RRU)によって実装されてもよく、リーダ101は、また、RRUと称されてもよい。リーダ101の機能は、代替的に、無線ローカルエリアネットワーク無線アクセスポイント(wireless  local  area  networks  wireless  access  point,  WLAN  AP)によって実装されてもよく、リーダ101は、また、WLAN  APと称されてもよい。リピータ102は、また、励起器(exciter)又はヘルパー(Helper)等と称されてもよい。ターゲットタグは、説明を容易にする目的を有しているにすぎず、以下の基準タグとは区別される。ターゲットタグ及び基準タグは、実際には、1つのみのタグであり、"ターゲット"及び"基準"の語は、他の意味を有していない。同様に、ターゲット後方散乱信号は、説明を容易にする目的を有しているにすぎず、以下の基準後方散乱信号とは区別される。ターゲット後方散乱信号及び基準後方散乱信号の双方は、実際には、後方散乱信号であり、"ターゲット"及び"基準"の語は、他の意味を有してはいない。
【００４０】
この出願のこの実施形態においては、リピータ102が、リーダ101が送信する第1の信号に基づいて、ターゲットタグ103に励起信号を送信する以下の2つの方式を、特に、実現することが可能である。
【００４１】
方式1:  リーダ101は、第1の信号に励起パラメータを追加してもよい。第1の信号を受信するときに、リピータ102は、第1の信号の中の励起パラメータを取得し、その次に、その励起パラメータに基づいて、励起信号を生成し、そして、最終的に、ターゲットタグ103にその励起信号を送信してもよい。
【００４２】
上記の方式1から、リーダ101は、第1の信号に励起パラメータを加えることによって、励起信号を送信するようにリピータ102を制御することが可能であるということを理解することが可能である。例えば、第1の信号が電力等のパラメータを搬送する場合に、リーダ101は、励起信号の電力を送信するようにリピータ102を制御してもよい。さらに、ターゲットタグ103は、代替的に、励起信号を送信するようにリピータ102を制御することによって測位されてもよい。
【００４３】
方式2:  第1の信号は、直接的に励起信号となってもよい、すなわち、リーダ101は、リピータ102に直接的に励起信号を送信してもよい。リピータ102は、ターゲットタグ103に直接的に励起信号を転送してもよく、その結果、簡単且つ便利であるという目的を達成することが可能である。
【００４４】
上記の方式2から、リピータ102は、いかなる処理も実行することなく、リーダ101が送信する励起信号を直接的に転送し、それによって、そのリピータ102は、単純な機能及び比較的低い電力を有し、移動可能なシナリオに極めて適しているということを理解することが可能である。
【００４５】
上記の説明から、この出願のこの実施形態においては、リーダ101は、最初に、リピータ102に第1の信号を送信し、リピータ102は、その次に、第1の信号に基づいて、ターゲットタグ103に励起信号を送信するということを理解することが可能である。リーダ101がターゲットタグ103に直接的に励起信号を送信する従来技術と比較して、リーダ101とターゲットタグ103との間の通信距離を増加させることが可能である。
【００４６】
加えて、もとの無線周波数識別システムにおいては、全体的なシステムは、1つのリーダ及びタグを有しているにすぎないため、そのリーダは、タグに励起信号を送信し、そして、そのタグが送信する後方散乱信号を受信する必要がある。無線周波数識別システム全体は全二重であるため、励起信号は、後方散乱信号が受信されている間に送信されてもよい。励起信号及び後方散乱信号は、互いに干渉する。結果として、リーダは、後方散乱信号を受信する感度が相対的に低くなる。これに対して、本願によって提供される無線周波数識別システム100においては、リーダ101は、もはや、タグに直接的には励起信号を送信せず、一方で、リピータ102は、リーダ101の制御に基づいて、ターゲットタグ103に励起信号を送信し、それによって、そのリーダ101は、もはや、後方散乱信号を受信している間に、励起信号を送信せず、その後方散乱信号は、もはや、励起信号によって干渉を受けることはなく、その結果、リーダによる後方散乱信号の受信の感度を改善する。
【００４７】
選択的に、図1、図2、又は図3に示されているように、無線周波数識別システム100は、基準タグ104をさらに含んでもよい。
【００４８】
リピータ102は、さらに、リーダ101が送信する第1の信号に基づいて、基準タグ104に励起信号を送信するように構成される。
【００４９】
リピータ102が第1の信号に基づいて基準タグ104に励起信号を送信する方式については、リピータ102が第1の信号に基づいてターゲットタグ103に励起信号を送信する上記の方式を参照するべきである。本明細書においては、詳細は繰り返しては説明されない。
【００５０】
基準タグ104は、さらに、励起信号に基づいて、基準後方散乱信号を送信するように構成される。
【００５１】
この出願のこの実施形態においては、図2に示されているように、基準タグ104は、リーダ101に基準後方散乱信号を直接的に送信してもよい。代替的に、図3に示されているように、基準タグ104は、リピータ102に基準後方散乱信号を送信してもよく、リピータ102は、リーダ101に基準後方散乱信号を転送する。
【００５２】
リーダ101は、さらに、ターゲットタグ103が送信するターゲット後方散乱信号及び基準タグ104が送信する基準後方散乱信号に基づいて、基準タグ104とターゲットタグ103との間の位置関係を決定し、そして、基準タグ104とターゲットタグ103との間の位置関係及び基準タグ104のあらかじめ設定された位置情報に基づいて、ターゲットタグ103の位置情報を決定する、ように構成される。
【００５３】
この出願のこの実施形態においては、基準タグ104は、ある位置にあらかじめ設定されていてもよく、その次に、基準タグ104の位置情報は、リーダ101に通知される。基準タグ104が送信する基準後方散乱信号及びターゲットタグ103が送信するターゲット後方散乱信号を受信するときに、リーダ101は、基準後方散乱信号及びターゲット後方散乱信号の位相情報及び電力情報等に基づいて、基準タグ104とターゲットタグ103との間の位置関係を決定してもよい。最終的に、リーダ101は、基準タグ104の位置情報に基づいて、ターゲットタグ103の位置情報を決定する。例えば、基準タグ104のあらかじめ設定された位置情報が、北緯39度、東経116度であり、基準タグ104とターゲットタグ103との間のリーダ101が取得する位置関係が、基準タグ104の位置情報とターゲットタグ103の位置情報との間の差異、すなわち、緯度差が0.001度及び経度は同じである場合に、リーダ101は、ターゲットタグ103の位置情報が、北緯39.001度及び東経116度であるということを決定してもよい。
【００５４】
上記の説明から、この出願のこの実施形態においては、上記の測位方式によって、ターゲットタグの測位精度を改善することが可能であるということを理解することが可能である。
【００５５】
この出願のこの実施形態においては、図2に示されているように、ターゲットタグ103がリーダ101に直接的にターゲット後方散乱信号を送信する例を使用することによって、この出願におけるプロセスを詳細に説明する。
【００５６】
図2に示されているように、この出願のこの実施形態においては、リーダ101は、第1の周波数においてリピータ102に第1の信号を送信してもよい。それに対応して、リピータ102は、第1の周波数において第1の信号を受信する。その次に、リピータ102は、第1の信号に基づいて、励起信号を生成してもよい。最終的に、リピータ102は、第2の周波数においてターゲットタグ103に励起信号を送信してもよい。ターゲットタグ103は、励起信号の励起に基づいて、リーダ101にターゲット後方散乱信号を送信する。
【００５７】
上述の説明から、リピータ102は、第1の周波数において第1の信号を受信し、そして、その次に、第2の周波数において励起信号を送信し、第1の周波数は、第2の周波数と同じであってもよく、又は、第2の周波数と異なっていてもよいということを理解することが可能である。例えば、第1の周波数は、免許付与された周波数帯域における周波数であってもよく、第2の周波数は、免許不要の周波数帯域における周波数であってもよい。
【００５８】
この出願のこの実施形態においては、特に、リピータ102が励起信号を送信する2つの方式が存在してもよい。方式1:  リピータ102は、第1の周波数において、リーダ101が送信する第1の信号を受信し、その次に、第1の信号の中で搬送されている励起パラメータを取得し、励起パラメータに基づいて、励起信号を生成し、そして、最終的に、第2の周波数においてターゲットタグ103に励起信号を送信する。この方式においては、リーダ101は、リピータ102が送信する励起信号の電力及び位相等の情報を制御することが可能である。方式2:  リーダ101が送信する第1の信号は、直接的に励磁信号となる。第1の周波数において励起信号を受信するときに、リピータ102は、第2の周波数において、ターゲットタグ103に直接的に励起信号を転送する。この方式においては、励起信号を受信するときに、リピータ102は、変換によって励起信号を直接的に転送し、その励起信号に対して構文解析処理を実行する必要はなく、それによって、リピータ102は、比較的低い電力消費を有し、移動可能なシナリオに適用可能である。
【００５９】
選択的に、図2に示されているように、無線周波数識別システム100は、基準タグ104をさらに含んでもよい。第1の周波数においてリーダ101が送信する第1の信号を受信した後に、リピータ102は、代替的に、第2の周波数において基準タグ104に励起信号を送信してもよい。基準タグ104は、励起信号の励起に基づいて、リーダ101に基準後方散乱信号を送信してもよい。もちろん、第1の周波数は、第2の周波数と同じであってもよく、又は、第2の周波数と異なってもよい。
【００６０】
図2に示されている実施形態においては、リーダ101は、ターゲットタグ103が送信するターゲット後方散乱信号及び基準タグ104が送信する基準後方散乱信号を使用することによって、ターゲットタグの位置情報を決定してもよく、それによって、より正確にターゲットタグを測位することが可能である。
【００６１】
この出願のこの実施形態においては、図3に示されているように、ターゲットタグ103がリピータ102にターゲット後方散乱信号を送信し、リピータ102がリーダ101にターゲット後方散乱信号を転送する例を使用することによって、この出願のプロセスを詳細に説明する。
【００６２】
この出願のこの実施形態においては、リーダ101は、第1の周波数においてリピータ102に第1の信号を送信してもよい。それ対応して、リピータ102は、第1の周波数において第1の信号を受信してもよい。その次に、リピータ102は、第1の信号に基づいて励起信号を生成し、そして、その次に、第2の周波数においてターゲットタグ103に励起信号を送信してもよい。ターゲットタグ103は、第2の周波数においてリピータ102にターゲット後方散乱信号を送信する。リピータ102は、第1の周波数においてリーダ101にターゲット後方散乱信号を送信する。
【００６３】
選択的に、図3に示されているように、無線周波数識別システム100は、基準タグ104をさらに含んでもよい。第1の周波数においてリーダ101が送信する第1の信号を受信した後に、リピータ102は、第2の周波数において基準タグ104に励起信号を送信してもよい。励起信号を受信した後に、基準タグ104は、励起信号の励起によりリピータ102に基準後方散乱信号を送信してもよい。リピータ102は、リーダ101に基準後方散乱信号を転送してもよい。
【００６４】
同様に、図3に示されている実施形態においては、リーダ101は、ターゲットタグ103が送信するターゲット後方散乱信号及び基準タグ104が送信する基準後方散乱信号を使用することによって、ターゲットタグの位置情報を決定してもよく、その結果、より正確にターゲットタグを測位することが可能である。
【００６５】
図2に示されている実施形態については、図4に示されているように、この出願は、無線周波数識別システム400を提供する。その無線周波数識別システム400においては、図2に示されているリーダ101及びWLAN  APが共設されているか、又は、リーダ101の機能がWLAN  APに統合されているか、又は、リーダ101がWLAN  APに統合され、リピータ102がインテリジェント端末であって、且つ、ターゲットタグがある1つのタグ(Tag)となっている例を使用することによって、動作プロセスを詳細に説明する。
【００６６】
図4に示されているように、無線周波数識別システム400は、リーダ401、リピータ402、及びタグ403を含む。
【００６７】
リーダ401は、端末デバイス(すなわち、リピータ402)に制御信号を送信してもよい。制御信号は、図2に示されている第1の信号に対応してもよい。
【００６８】
制御信号を受信した後に、リピータ402は、タグ403に励起信号を送信してもよい。
【００６９】
励起信号を受信した後に、タグ403は、リーダ401に後方散乱信号を送信してもよく、その後方散乱信号は、タグのEPC情報を搬送する。
【００７０】
この出願のこの実施形態においては、タグ403は、商用の受動的な無線周波数識別タグであってもよい。
【００７１】
図4に示されている無線周波数識別システム400は、(1)  リピータ402が単純な機能及び極端に低い消費電力を有するため、移動可能なシナリオにリピータ402を適用可能であり、(2)  リーダ401の受信機感度を改善し、リーダ401と受動的な無線周波数識別タグとの間の通信距離を改善することが可能であり、WLAN  AP及びリーダ401が共設され、そして、顧客の構築コストを減少させ、(3)  リーダ401の受信機感度を改善するとともに、タグの在庫の信頼性を改善することが可能であり、(4)  高度に精密な方式によってタグ403を測位することが可能である、という4つの利点を有する。タグ403は、励起信号が存在するときにのみ励起され、後方散乱され、リーダ401は、後方散乱を実行するか否かを決定するようにリピータを制御してもよい。しかしながら、リピータ402は、制限された励起範囲を有する。したがって、高度に精密な測位を実装することが可能である。
【００７２】
図3に示されている上記の実施形態については、図5に示されているように、この出願は、無線周波数識別システム500を提供する。無線周波数識別システム500においては、図3に示されているリーダ101及び基地局が共設されているか、又は、リーダ101の機能が基地局に統合されているか、又は、リーダ101が基地局に統合され、リピータ102が無線周波数識別(radio  frequency  identification,  RFID)リピータ(Repeater)であり、且つ、ターゲットタグがある1つのタグ(Tag)となっている例を使用することによって、動作プロセスを詳細に説明する。
【００７３】
図5に示されているように、無線周波数識別システム500は、基地局501、RFIDリピータ502、及びタグ503を含む。
【００７４】
基地局501は、免許付与された周波数帯域のダウンリンク周波数帯域f1においてRFIDリピータ502に励起信号を送信してもよい。
【００７５】
励起信号を受信した後に、RFIDリピータ502は、免許不要の周波数帯域のうちの周波数帯域f2においてタグ503に励起信号を転送する。
【００７６】
タグ503は、励起信号の励起により、免許不要の周波数帯域のうちの周波数帯域f2においてRFIDリピータ502に後方散乱信号を送信してもよい。タグ503は、特に、商用の受動的なRFIDタグであってもよい。
【００７７】
後方散乱信号を受信した後に、RFIDリピータ502は、免許付与された周波数帯域のうちのアップリンク周波数帯域f3において基地局501に後方散乱信号を転送してもよい。
【００７８】
基地局501は、免許付与された周波数帯域のうちのアップリンク周波数帯域f3において後方散乱信号を受信し、その後方散乱信号の中のEPC情報を取得する。
【００７９】
図5に示されている無線周波数識別システムにおいては、基地局501は、免許付与された周波数帯域を使用することによって、RFIDリピータ502と通信し、そして、RFIDリピータ502を制御して、タグ503の在庫管理を開始する。RFIDリピータ502は、基地局501が送信するアナログ信号を構文解析せず、無線周波数変換によってタグ503に直接的にそのアナログ信号を転送する。タグ503は、RFIDリピータ502に後方散乱信号を送信する。RFIDリピータ502は、変換によって基地局501にその後方散乱信号を転送する。基地局501は、商用のRFIDタグデータを受信し及び構文解析して、商用のRFIDタグデータのEPC情報を取得する。
【００８０】
図5に示されている無線周波数識別システム500は、(1)  基地局とタグとの間の通信距離を増加させ、それによって、マクロ基地局は、RFIDサービスをサポートすることが可能となり、(2)  RFIDリピータ502は、変換によって無線周波数信号を直接的に転送し、それによって、そのRFIDリピータは、単純な機能、高い費用対効果、及びリアルタイムデータ伝送を有し、(3)  簡単な機能、高い費用対効果、及びリアルタイムデータ伝送を実装することが可能である、という3つの利点を有する。
【００８１】
図1乃至図5によって提供される無線周波数識別システムのうちのいずれか1つに基づいて、この出願は、中継ネットワークを構築するための方法を提供する。中継ネットワークを構築することは、リーダとリピータとの間の通信ネットワークを構築することを指す。中継ネットワークを構築するプロセスは、(1)  リーダがリピータを認証すること、(2)  リーダがリピータとの同期を実行すること、(3)  リーダがリピータをスケジューリングすること、を含んでもよい。リーダがリピータをスケジューリングするプロセスは、リーダによってリピータに、第1の信号又は制御信号を送信し、それによって、そのリピータは、第1の信号又は中継信号に基づいて、タグに励起信号を送信することであってもよい。
【００８２】
特に、図6に示されているように、リーダがリピータを認証するプロセスを最初に説明する。
【００８３】
ステップS601:  リピータは、識別情報を報告し、その識別情報は、そのリピータを一意に識別するのに使用される。
【００８４】
ステップS602:  リーダは、リピータが報告する識別情報に基づいて、リピータが合法的であるか否かを決定する。リピータが合法的である場合には、ステップS603が実行され、又は、リピータが合法的でない場合には、ステップS604が実行される。
【００８５】
ステップS603:  リーダは、リピータに第1の情報を送信し、第1の情報は、中継ネットワークに接続するようにそのリピータに通知するのに使用される。
【００８６】
ステップS604:  リーダは、そのリピータによる中継ネットワークへの接続を拒否する。
【００８７】
選択的に、図6に示されている手順において、ステップS601の前に、その方法は、リーダによって第2の情報を送信するステップをさらに含み、第2の情報は、識別情報を報告するようにリピータに通知するのに使用される。
【００８８】
図6に示されている手順を参照すると、この出願は、リーダがリピータを認証する以下の3つの手順を提供する。以下の記載は、それらの手順を具体的に説明する。
【００８９】
手順1は、図7に示されている。
【００９０】
ステップS701:  リーダは、ページング信号をブロードキャストする。
【００９１】
ステップS702:  そのページング信号を受信した後に、リピータは、リーダに中継識別子を報告する。
【００９２】
ステップS703:  リーダは、肯定応答メッセージを送信し、その肯定応答メッセージは、リーダが、リピータが報告する識別情報を受信しており、そして、合法性認証が成功しているということを決定するのに使用される。
【００９３】
手順2は、図8に示されている。
【００９４】
ステップS801:  リーダは、リピータに報告要求を送信する。
【００９５】
ステップS802:  報告要求を受信した後に、リピータは、リーダに中継識別子を報告する。
【００９６】
ステップS803:  リーダは、肯定応答メッセージを送信し、その肯定応答メッセージは、リーダが、リピータが報告する識別情報を受信しており、合法性認証が成功しているということを決定するのに使用される。
【００９７】
手順3は、図9に示されている。
【００９８】
ステップS901:  リピータは、識別情報を報告する。
【００９９】
ステップS902:  リーダは、肯定応答メッセージを送信し、その肯定応答メッセージは、リーダが、リピータが報告する識別情報を受信しており、合法性認証が成功しているということを決定するのに使用される。
【０１００】
この出願のこの実施形態においては、全体的な中継ネットワークは、1つのリーダ及び1つ又は複数のリピータを含むということに留意すべきである。全体的な中継ネットワークが複数のリピータを含むときに、リーダは、順番にリピータを認証する必要がある。この出願のこの実施形態においては、リーダは、リピータのすべてに対する認証を完了した後に、(例えば、同期又はスケジューリング等の)以降のサービス手順を開始してもよく、又は、各々のリピータに対する認証を完了した後に、そのリピータについて以降のサービス手順を開始してもよい。
【０１０１】
次に、リーダがリピータとの同期を実行するプロセスを説明する。図10に示されているように、リーダがリピータとの同期を実行する手順は、以下のステップを含む。
【０１０２】
ステップS101:  リーダは、リピータに第3の情報を送信し、第3の情報は、同期を開始するようにリピータに通知するのに使用される。
【０１０３】
ステップS102:  リピータは、リーダに第4の情報を送信し、第4の情報は、リーダとリピータとの間の同期調整のために使用される。
【０１０４】
ステップS103:  リーダは、第4の情報に基づいて、リーダとリピータとの間の同期調整オフセットを算出する。
【０１０５】
ステップS104:  リーダは、リピータに第5の情報を送信し、第5の情報は、リーダとリピータとの間の同期調整オフセットを搬送し、第5の情報は、リピータが、同期調整を実行して、リーダとの同期を維持するのに使用される。
【０１０６】
この出願のこの実施形態においては、リーダ及びリピータは、非同期システムであるので、図10に示されている方法を使用して、リーダとリピータとの間の同期を維持してもよい。
【０１０７】
図10に示されている同期手順については、図11に示されているように、この出願は、特に、リーダとリピータとの間の同期手順を提供する。その手順は、以下のステップを含む。
【０１０８】
ステップS111:  リーダは、リピータに開始同期メッセージを送信する。
【０１０９】
ステップS112:  リピータは、リーダに同期メッセージを送信する。
【０１１０】
ステップS113:  リーダは、同期調整オフセットメッセージを送信する。
【０１１１】
ステップS114:  リピータは、同期調整オフセットメッセージに基づいて、リピータとリーダとの間の同期を完了し、リーダに同期調整完了メッセージを送信する。
【０１１２】
ステップS115:  リーダは、リピータに同期完了メッセージを送信する。
【０１１３】
この出願のこの実施形態においては、上記のステップS111乃至ステップS115を実行することによって、リーダとリピータとの間の同期を維持することが可能である。
【０１１４】
リーダがリピータをスケジューリングする方式を最終的に説明する。
【０１１５】
上記の説明から、この出願のこの実施形態において、全体的な中継ネットワークは、1つのリーダ及び少なくとも1つのリピータを含んでもよいということを理解することが可能である。全体的な中継ネットワークが複数のリピータを含むときに、リーダは、周波数分割多元接続方式、時分割多元接続方式、又は符号分割多元接続方式等の方式によって、それらの複数のリピータをスケジューリングして、ターゲットタグ又は基準タグに励起信号を送信してもよい。
【０１１６】
この出願のこの実施形態においては、図12に示されているように、全体的な中継ネットワークが1つのリーダ及びN個のリピータを含むということを仮定する。N個のリピータは、それぞれ、リピータ(1)、リピータ(2)、リピータ(3)、…、及びリピータ(N)である。リーダは、以下の方式によって励磁信号を送信するようにリピータをスケジューリングしてもよい。
【０１１７】
(1)  時分割多元接続方式:  リーダは、時系列で、リピータ(1)、リピータ(2)、リピータ(3)、…、リピータ(N)をスケジューリングし、それによって、各々のリピータは、対応するタグに励起信号を送信する。
【０１１８】
(2)  周波数分割多元接続方式:  リーダは、各々のリピータに異なる周波数を割り当てる。リピータは、そのリピータに割り当てられている周波数においてリーダと対話する。リーダは、複数のリピータが励起するタグ後方散乱信号を受信し及び構文解析する。
【０１１９】
(3)  符号分割多元接続方式:  リーダは、同じ周波数において複数のリピータを同時にスケジューリングすることが可能である。各々のリピータは、リピータのIDに基づいて、リーダがリピータに送信するメッセージを構文解析し、タグ後方散乱信号を励起する、すなわち、同じ周波数においてリーダとの通信対話を同時に実行するときに、複数のコードワードとして、複数のリピータのIDを使用することによって、それらの複数の異なるリピータを判別する。リーダは、それらの複数のリピータが励起するタグ後方散乱信号を受信し及び構文解析する。
【０１２０】
(4)  空間分割多元接続方式:  リーダは、空間分割によって複数のリピータをスケジューリングする。空間分割は、これらには限定されないが、MU-BF技術を含む。
【０１２１】
上記の説明から、この出願のこの実施形態においては、全体的な中継ネットワークが複数のリピータを含むときに、リーダは、複数の異なる方式によって複数のリピータをスケジューリングしてもよく、それによって、それらの複数のリピータが協働して動作するということを保証するということを理解することが可能である。
【０１２２】
上述の概念に基づいて、図13に示されているように、この出願は、さらに、中継ネットワークの中のリーダ1300を開示している。中継ネットワークは、少なくとも1つのリピータをさらに含む。中継ネットワークの中のそのリーダ1300は、リピータが報告する識別情報を受信するように構成されるトランシーバーユニット1301であって、識別情報は、リピータを一意に識別するのに使用される、トランシーバユニット1301と、
リピータが報告する識別情報に基づいて、リピータが合法的であるか否かを決定するように構成される処理ユニット1302と、を含む。
【０１２３】
トランシーバユニット1301は、さらに、リピータが合法的であるということを決定するときに、リピータに第1の情報を送信するように構成され、第1の情報は、中継ネットワークに接続するようにリピータに通知するのに使用される。
【０１２４】
選択的に、トランシーバーユニット1301は、さらに、リピータが報告する識別情報を受信する前に、第2の情報を送信するように構成され、第2の情報は、識別情報を報告するようにリピータに通知するのに使用される。
【０１２５】
ある1つの特定の例において、トランシーバーユニット1301は、さらに、リピータに第3の情報を送信し、第3の情報は、同期を開始するようにリピータに通知するのに使用され、そして、リピータが送信する第4の情報を受信する、ように構成され、第4の情報は、リーダとリピータとの間の同期調整のために使用される。処理ユニット1302は、さらに、第4の情報に基づいて、リーダとリピータとの間の同期調整オフセットを計算するように構成される。トランシーバーユニット1301は、さらに、リピータに第5の情報を送信するように構成され、第5の情報は、リーダとリピータとの間の同期調整オフセットを搬送し、第5のメッセージは、リピータが、同期調整を実行して、リーダとの同期を維持するのに使用される。
【０１２６】
この出願の他の例において、中継ネットワークが複数のリピータを含むときに、処理ユニット1302は、さらに、周波数分割多元接続方式、時分割多元接続方式、又は符号分割多元接続方式等の方式によって、ターゲットタグに励起信号を送信するように複数のリピータをスケジューリングするように構成され、励起信号は、後方散乱信号を送信するようにターゲットタグを励起するのに使用される。
【０１２７】
上述の概念に基づいて、さらに、図14を参照すると、この出願は、さらに、中継ネットワークの中のリピータ1400を開示している。中継ネットワークは、リーダをさらに含む。中継ネットワークの中のそのリピータ1400は、
リピータの識別情報を取得するように構成される処理ユニット1401であって、識別情報は、リピータを一意に識別するのに使用される、処理ユニット1401と、
識別情報を報告するように構成されるトランシーバーユニット1402と、を含む。
【０１２８】
選択的に、トランシーバーユニット1402は、さらに、リピータが識別情報を報告する前に、リーダが送信する第2の情報を受信するように構成され、第2の情報は、識別情報を報告するようにリピータに通知するのに使用される。
【０１２９】
選択的に、トランシーバーユニット1402は、さらに、リーダが送信する第3の情報を受信し、第3の情報は、同期を開始するようにリピータに通知するのに使用され、第4の情報を送信し、第4の情報は、リーダとリピータとの間の同期調整のために使用され、そして、リーダが送信する第5の情報を受信する、ように構成され、第5の情報は、リーダとリピータとの間の同期調整オフセットを搬送する。処理ユニット1401は、さらに、第5の情報の中で搬送される同期調整オフセットに基づいて、リーダとの同期を維持するように構成される。
【０１３０】
上述の概念に基づいて、図15に示されているように、この出願は、さらに、中継ネットワークの中のリーダ1500を開示している。リーダ1500は、プロセッサ1501及びメモリ1502を含む。
【０１３１】
メモリ1502は、コンピュータプログラム命令を格納する。
【０１３２】
プロセッサ1501は、メモリの中に格納されているコンピュータプログラム命令を実行して、中継ネットワークを構築するための上記の方法においてリーダ側が実行するステップを実行するように構成される。
【０１３３】
上述の概念に基づいて、図16に示されているように、この出願は、さらに、中継ネットワークの中のリピータ1600を開示している。リピータ1600は、プロセッサ1601及びメモリ1602を含む。
【０１３４】
メモリ1602は、コンピュータプログラム命令を格納する。
【０１３５】
プロセッサ1601は、メモリの中に格納されているコンピュータプログラム命令を実行して、中継ネットワークを構築するための上記の方法においてリピータ側が実行するステップを実行するように構成される。
【０１３６】
この出願は、さらに、コンピュータ読み取り可能な記憶媒体を提供する。コンピュータ読み取り可能な記憶媒体は、命令を格納する。命令がコンピュータによって実行されるときに、そのコンピュータが、中継ネットワークを構築するための上記の方法を実行することを可能とする。
【０１３７】
本発明によって開示されている内容と関連して説明されている方法又はアルゴリズムのステップは、ハードウェアによって実装されてもよく、又は、ソフトウェア命令を実行することによってプロセッサによって実装されてもよい。ソフトウェア命令は、対応するソフトウェアモジュールによって形成されてもよい。ソフトウェアモジュールは、RAMメモリ、フラッシュメモリ、ROMメモリ、EPROMメモリ、EEPROMメモリ、レジスタ、ハードディスク、取り外し可能な磁気ディスク、CD-ROM、又はこの技術分野において知られているいずれかの他の形態の記憶媒体の中に位置していてもよい。例えば、記憶媒体は、プロセッサに接続され、それによって、そのプロセッサは、その記憶媒体から情報を読み出すことが可能であるとともに、その記憶媒体に情報を書き込むことが可能である。もちろん、記憶媒体は、代替的に、プロセッサの構成要素であってもよい。プロセッサ及び記憶媒体は、ある1つのASICの中に位置していてもよい。加えて、ASICは、ユーザ機器の中に位置していてもよい。もちろん、プロセッサ及び記憶媒体は、代替的に、個別の構成要素として、ユーザ機器の中に存在していてもよい。
【０１３８】
当業者は、上記の1つ又は複数の例において、本発明によって説明されている複数の機能が、ハードウェア、ソフトウェア、ファームウェア、又はそれらのいずれかの組み合わせによって実装されてもよいということを認識するはずである。ソフトウェアによって実装されるときに、それらの複数の機能は、コンピュータ読み取り可能な媒体の中に格納されてもよく、又は、コンピュータ読み取り可能な媒体の中で1つ又は複数の命令又はコードとして送信されてもよい。コンピュータ読み取り可能な媒体は、コンピュータ記憶媒体及び通信媒体を含み、通信媒体は、一方の場所から他方の場所へとコンピュータプログラムを送信することを可能とするいずれかの媒体を含む。記憶媒体は、汎用コンピュータ又は専用コンピュータにアクセス可能ないずれかの利用可能な媒体であってもよい。
【０１３９】
本発明の目的、技術的解決方法、及び利点は、さらに、上記の複数の特定の実施形態において詳細に説明されている。上記の説明は、本発明の特定の実施形態であるに過ぎず、本発明の保護の範囲を限定することを意図してはいないということを理解すべきである。本発明のそれらの複数の技術的解決方法に基づいて行われるいずれかの修正、等価な置換、又は改良は、本発明の保護の範囲に属するものとする。
【図１】
2021517693.tif 000003
【図２】
2021517693.tif 000004
【図３】
2021517693.tif 000005
【図４】
2021517693.tif 000006
【図５】
2021517693.tif 000007
【図６】
2021517693.tif 000008
【図７】
2021517693.tif 000009
【図８】
2021517693.tif 000010
【図９】
2021517693.tif 000011
【図１０】
2021517693.tif 000012
【図１１】
2021517693.tif 000013
【図１２】
2021517693.tif 000014
【図１３】
2021517693.tif 000015
【図１４】
2021517693.tif 000016
【図１５】
2021517693.tif 000017
【図１６】
2021517693.tif 000018
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
リーダ、リピータ、及びターゲットタグを含む無線周波数識別システムであって、
前記リーダは、前記リピータに第1の信号を送信するように構成され、
前記リピータは、前記第1の信号に基づいて、前記ターゲットタグに励起信号を送信するように構成され、
前記ターゲットタグは、前記励起信号の励起に基づいて、ターゲット後方散乱信号を送信するように構成され、前記ターゲット後方散乱信号は、電子製品コード情報を搬送し、
前記リーダは、さらに、前記ターゲット後方散乱信号を受信し、そして、前記ターゲット後方散乱信号の中の前記電子製品コード情報を取得する、ように構成される、
システム。
【請求項２】
前記第1の信号は、励起パラメータを搬送し、前記第1の信号に基づいて前記ターゲットタグに前記励起信号を送信するときに、前記リピータは、
前記第1の信号から前記励起パラメータを取得し、
前記励起パラメータに基づいて、前記励起信号を生成し、そして、
前記ターゲットタグに、前記励起信号を送信する、ように構成される、請求項1に記載のシステム。
【請求項３】
前記第1の信号に基づいて前記ターゲットタグに前記励起信号を送信するときに、前記リピータは、
前記リーダが送信する前記第1の信号を受信し、そして、
前記ターゲットタグに前記第1の信号を送信する、ように構成され、前記第1の信号は、前記励起信号である、請求項1に記載のシステム。
【請求項４】
前記リピータは、第1の周波数で、前記リーダが送信する前記第1の信号を受信し、前記リピータは、第2の周波数で、前記ターゲットタグに前記励起信号を送信する、請求項2又は3に記載のシステム。
【請求項５】
前記励起信号の前記励起に基づいて前記ターゲット後方散乱信号を送信するときに、前記ターゲットタグは、
前記励起信号の前記励起に基づいて、前記リーダに、直接的に、前記ターゲット後方散乱信号を送信する、ように構成される、請求項1乃至4のうちのいずれか1項に記載のシステム。
【請求項６】
前記励起信号の前記励起に基づいて前記ターゲット後方散乱信号を送信するときに、前記ターゲットタグは、
前記励起信号の前記励起に基づいて、前記リピータに、前記ターゲット後方散乱信号を送信するように構成され、
前記リピータは、さらに、前記リーダに前記ターゲット後方散乱信号を送信するように構成される、請求項1乃至4のうちのいずれか1項に記載のシステム。
【請求項７】
当該システムは、基準タグをさらに含み、
前記リピータは、さらに、前記第1の信号に基づいて、前記基準タグに前記励起信号を送信するように構成され、
前記基準タグは、前記励起信号に基づいて、基準後方散乱信号を送信するように構成され、
前記リーダは、さらに、前記基準後方散乱信号及び前記ターゲット後方散乱信号に基づいて、前記基準タグと前記ターゲットタグとの間の位置関係を決定し、そして、前記基準タグと前記ターゲットタグとの間の前記位置関係及び前記基準タグの位置情報に基づいて、前記ターゲットタグの位置情報を決定する、ように構成される、請求項1乃至6のうちのいずれか1項に記載のシステム。
【請求項８】
中継ネットワークを構築するための方法であって、前記中継ネットワークは、リーダ及び少なくとも1つのリピータを含み、当該方法は、
前記リピータが報告する識別情報を前記リーダによって受信するステップであって、前記識別情報は、前記リピータを一意に識別するのに使用される、ステップと、
前記リーダによって、前記リピータが報告する前記識別情報に基づいて、前記リピータが合法的であるか否かを決定するステップと、
前記リピータが合法的であるということを決定するときに、前記リーダによって前記リピータに、第1の情報を送信するステップと、を含み、前記第1の情報は、前記中継ネットワークに接続するように前記リピータに通知するのに使用される、
方法。
【請求項９】
前記リピータが報告する識別情報を前記リーダによって受信する前記ステップの前に、当該方法は、
前記リーダによって第2の情報を送信するステップをさらに含み、前記第2の情報は、前記識別情報を報告するように前記リピータに通知するのに使用される、請求項8に記載の方法。
【請求項１０】
前記リーダによって前記リピータに、第1の情報を送信する前記ステップの後に、当該方法は、
前記リーダによって前記リピータに第3の情報を送信するステップであって、前記第3の情報は、同期を開始するように前記リピータに通知するのに使用される、ステップと、
前記リピータが送信する第4の情報を前記リーダによって受信するステップであって、前記第4の情報は、前記リーダと前記リピータとの間の同期調整のために使用される、ステップと、
前記リーダによって、前記第4の情報に基づいて、前記リーダと前記リピータとの間の同期調整オフセットを計算するステップと、
前記リーダによって前記リピータに第5の情報を送信するステップと、を含み、前記第5の情報は、前記リーダと前記リピータとの間の前記同期調整オフセットを搬送し、前記第5の情報は、前記リピータが、前記同期調整を実行して、前記リーダとの同期を維持するのに使用される、請求項8又は9に記載の方法。
【請求項１１】
前記中継ネットワークが複数のリピータを含むときに、当該方法は、
前記リーダによって、周波数分割多元接続方式、時分割多元接続方式、又は符号分割多元接続方式を含む方式によって、ターゲットタグに励起信号を送信するように前記複数のリピータをスケジューリングするステップをさらに含み、前記励起信号は、後方散乱信号を送信するように前記ターゲットタグを励起するのに使用される、請求項8乃至10のうちのいずれか1項に記載の方法。
【請求項１２】
中継ネットワークを構築するための方法であって、前記中継ネットワークは、リーダ及び少なくとも1つのリピータを含み、当該方法は、
前記リピータによって、前記リピータの識別情報を取得するステップであって、前記識別情報は、前記リピータを一意に識別するのに使用される、ステップと、前記リピータによって前記識別情報を報告するステップと、を含む、
方法。
【請求項１３】
前記リピータによって前記識別情報を報告する前記ステップの前に、当該方法は、
前記リーダが送信する第2の情報を前記リピータによって受信するステップをさらに含み、前記第2の情報は、前記識別情報を報告するように前記リピータに通知するのに使用される、請求項12に記載の方法。
【請求項１４】
当該方法は、
前記リーダが送信する第3の情報を前記リピータによって受信するステップであって、前記第3の情報は、同期を開始するように前記リピータに通知するのに使用される、ステップと、
前記リピータによって第4の情報を送信するステップであって、前記第4の情報は、前記リーダと前記リピータとの間の同期調整のために使用される、ステップと、
前記リーダが送信する第5の情報を前記リピータによって受信するステップであって、前記第5の情報は、前記リーダと前記リピータとの間の同期調整オフセットを搬送する、ステップと、
前記リピータによって、前記第5の情報の中で搬送される前記同期調整オフセットに基づいて、前記リーダとの同期を維持するステップと、をさらに含む、請求項12又は13に記載の方法。
【請求項１５】
中継ネットワークの中のリーダであって、前記中継ネットワークは、少なくとも1つのリピータを含み、当該リーダは、
前記リピータが報告する識別情報を受信するように構成されるトランシーバーユニットであって、前記識別情報は、前記リピータを一意に識別するのに使用される、トランシーバユニットと、
前記リピータが報告する前記識別情報に基づいて、前記リピータが合法的であるか否かを決定するように構成される処理ユニットと、を含み、
前記トランシーバユニットは、さらに、前記リピータが合法的であるということを決定するときに、前記リピータに第1の情報を送信するように構成され、前記第1の情報は、前記中継ネットワークに接続するように前記リピータに通知するのに使用される、
リーダ。
【請求項１６】
前記トランシーバーユニットは、さらに、  
前記リピータが報告する前記識別情報を受信する前に、第2の情報を送信するように構成され、前記第2の情報は、前記識別情報を報告するように前記リピータに通知するのに使用される、請求項15に記載のリーダ。
【請求項１７】
前記トランシーバーユニットは、さらに、前記リピータに第3の情報を送信し、前記第3の情報は、同期を開始するように前記リピータに通知するのに使用され、そして、前記リピータが送信する第4の情報を受信する、ように構成され、前記第4の情報は、当該リーダと前記リピータとの間の同期調整のために使用され、
前記処理ユニットは、さらに、前記第4の情報に基づいて、当該リーダと前記リピータとの間の同期調整オフセットを計算するように構成され、
前記トランシーバーユニットは、さらに、前記リピータに第5の情報を送信するように構成され、前記第5の情報は、当該リーダと前記リピータとの間の前記同期調整オフセットを搬送し、前記第5の情報は、前記リピータが、前記同期調整を実行して、当該リーダとの同期を維持するのに使用される、請求項15又は16に記載のリーダ。
【請求項１８】
前記中継ネットワークが複数のリピータを含むときに、前記処理ユニットは、さらに、
周波数分割多元接続方式、時分割多元接続方式、又は符号分割多元接続方式を含む方式によって、ターゲットタグに励起信号を送信するように前記複数のリピータをスケジューリングするように構成され、前記励起信号は、後方散乱信号を送信するように前記ターゲットタグを励起するのに使用される、請求項15乃至17のうちのいずれか1項に記載のリーダ。
【請求項１９】
中継ネットワークの中のリピータであって、前記中継ネットワークは、リーダをさらに含み、当該リピータは、
当該リピータの識別情報を取得するように構成される処理ユニットであって、前記識別情報は、当該リピータを一意に識別するのに使用される、処理ユニットと、
前記識別情報を報告するように構成されるトランシーバーユニットと、を含む、
リピータ。
【請求項２０】
前記トランシーバーユニットは、さらに、前記識別情報を報告する前に、前記リーダが送信する第2の情報を受信するように構成され、前記第2の情報は、前記識別情報を報告するように当該リピータに通知するのに使用される、請求項19に記載のリピータ。
【請求項２１】
前記トランシーバーユニットは、さらに、前記リーダが送信する第3の情報を受信し、前記第3の情報は、同期を開始するように前記リピータに通知するのに使用され、第4の情報を送信し、前記第4の情報は、前記リーダと当該リピータとの間の同期調整のために使用され、そして、前記リーダが送信する第5の情報を受信する、ように構成され、前記第5の情報は、前記リーダと当該リピータとの間の同期調整オフセットを搬送し、
前記処理ユニットは、さらに、前記第5の情報の中で搬送される前記同期調整オフセットに基づいて、当該リピータと前記リーダとの間の同期を維持するように構成される、請求項19又は20に記載のリピータ。
【請求項２２】
中継ネットワークの中のリーダであって、プロセッサ及びメモリを含み、
前記メモリは、コンピュータプログラム命令を格納し、
前記プロセッサは、前記メモリの中に格納されている前記コンピュータプログラム命令を実行して、請求項8乃至11のうちのいずれか1項に記載の方法を実行するように構成される、
リーダ。
【請求項２３】
中継ネットワークの中のリピータであって、プロセッサ及びメモリを含み、
前記メモリは、コンピュータプログラム命令を格納し、
前記プロセッサは、前記メモリの中に格納されている前記コンピュータプログラム命令を実行して、請求項12乃至14のうちのいずれか1項に記載の方法を実行するように構成される、
リピータ。
【請求項２４】
コンピュータ読み取り可能な記憶媒体であって、当該コンピュータ読み取り可能な記憶媒体は、命令を格納し、前記命令がコンピュータによって実行されるときに、請求項8乃至11のうちのいずれか1項に記載の方法を前記コンピュータが実行することを可能とする、コンピュータ読み取り可能な記憶媒体。
【請求項２５】
コンピュータ読み取り可能な記憶媒体であって、当該コンピュータ読み取り可能な記憶媒体は、命令を格納し、前記命令がコンピュータによって実行されるときに、請求項12乃至14のうちのいずれか1項に記載の方法を前記コンピュータが実行することを可能とする、コンピュータ読み取り可能な記憶媒体。
【手続補正２】
【補正対象書類名】明細書
【補正対象項目名】全文
【補正方法】変更
【補正の内容】
【発明の詳細な説明】
【技術分野】
【０００１】
[関連出願への相互参照]
この出願は、2018年3月28日付で中国国家知的財産管理局に出願された"無線周波数識別システム、中継ネットワークを構築する方法、リーダ、及びリピータ"と題する中国特許出願番号第201810267215.8号に基づく優先権を主張し、その内容は、その全体が参照により本明細書に組み込まれる。
【０００２】
[技術分野]
この出願は、無線通信技術の分野に関し、特に、無線周波数識別システム、中継ネットワークを構築する方法、リーダ、及びリピータに関する。
【背景技術】
【０００３】
無線周波数識別技術は、非接触の且つ自動的な識別技術である。無線周波識別技術においては、無線周波数信号を使用することによって目的の対象物を自動的に識別し、そして、関連するデータを取得する。手作業を介在させることなく、過酷な環境において識別プロセスを実装することが可能である。
【０００４】
現在、従来の無線周波数識別システムは、タグ及びリーダを含む。無線周波数識別の全体的な作業プロセスは、リーダによるタグへの励起信号の送信、その励起信号の励起によるタグからリーダへの後方散乱信号の送信であって、その後方散乱信号はデータ情報を搬送してもよい、後方散乱信号の送信、及び、リーダによるその後方散乱信号の受信及び解析によるそのタグのデータ情報の取得であってもよい。
【０００５】
従来の無線周波数識別システムにおいては、リーダは、タグに直接的に励磁信号を送信し、通信距離は、比較的小さい。
【発明の概要】
【０００６】
この出願は、無線周波数識別システムを提供して、その無線周波数識別システムの通信距離を増加させる。
【０００７】
第1の態様によれば、この出願は、無線周波数識別システムを提供する。その無線周波数識別システムは、リーダ、リピータ、及びターゲットタグを含む。前記リーダは、前記リピータに第1の信号を送信するように構成される。前記リピータは、前記第1の信号に基づいて、前記ターゲットタグに励起信号を送信するように構成される。前記ターゲットタグは、前記励起信号の励起に基づいて、ターゲット後方散乱信号を送信するように構成され、前記ターゲット後方散乱信号は、電子製品コード情報を搬送する。前記リーダは、さらに、前記ターゲット後方散乱信号を受信し、そして、前記ターゲット後方散乱信号の中の前記電子製品コード情報を取得する、ように構成される。
【０００８】
上記の説明から、この出願のこの実施形態においては、リーダは、最初に、リピータに第1の信号を送信し、リピータは、その次に、第1の信号に基づいて、ターゲットタグに励起信号を送信するということを理解することが可能である。リーダがターゲットタグに励起信号を直接的に送信する従来技術と比較して、リーダとターゲットタグとの間の通信距離を増加させることが可能である。加えて、もとの無線周波数識別システムにおいては、全体的なシステムは、1つのリーダ及びタグを有しているにすぎないため、そのリーダは、タグに励起信号を送信し、そして、そのタグが送信する後方散乱信号を受信する必要がある。無線周波数識別システム全体は全二重であるため、励起信号は、後方散乱信号が受信されている間に同時に送信されてもよい。励起信号及び後方散乱信号は、互いに干渉する。結果として、リーダは、後方散乱信号を受信する感度が相対的に低くなる。これに対して、本願によって提供される無線周波数識別システムにおいては、リーダは、もはや、励起信号を送信せず、一方で、リピータは、励起信号を送信し、それによって、そのリーダは、もはや、後方散乱信号を受信している間に、同時に、励起信号を送信せず、その後方散乱信号は、もはや、励起信号によって干渉を受けることはなく、その結果、リーダによる後方散乱信号の受信の感度を改善する。
【０００９】
ある1つの可能な設計において、前記第1の信号は、励起パラメータを搬送し、前記リピータが前記第1の信号に基づいて前記ターゲットタグに前記励起信号を送信するある1つの特定の実装プロセスは、前記リピータによって、前記第1の信号から前記励起パラメータを取得し、前記リピータによって、前記励起パラメータに基づいて、前記励起信号を生成し、そして、前記リピータによって前記ターゲットタグに、前記励起信号を送信する、ことであってもよい。
【００１０】
上記の説明から、この出願のこの実施形態においては、リーダは、リピータが送信する励起信号の電力及び位相等の情報を制御してもよく、それによって、そのリーダは、そのリピータを制御するということを理解することが可能である。
【００１１】
ある1つの可能な設計において、前記第1の信号に基づいて前記ターゲットタグに前記励起信号を送信するときに、前記リピータは、特に、前記リーダが送信する前記第1の信号を受信し、そして、前記ターゲットタグに前記第1の信号を送信する、ように構成され、前記第1の信号は、前記励起信号である。
【００１２】
上記の説明から、この出願のこの実施形態においては、リピータは、リーダが送信する励起信号に対して構文解析処理を実行する必要はなく、変換によって励起信号を直接的に転送し、それによって、そのリピータは、単純な機能及び比較的低い電力消費を有し、特に、移動可能なシナリオに適用可能であるということを理解することが可能である。
【００１３】
ある1つの可能な設計において、前記リピータは、第1の周波数で、前記リーダが送信する前記第1の信号を受信し、前記リピータは、第2の周波数で、前記ターゲットタグに前記励起信号を送信する。
【００１４】
ある1つの可能な設計において、前記ターゲットタグが前記励起信号の前記励起に基づいて前記後方散乱信号を送信するある1つの特定の実装プロセスは、前記励起信号の前記励起に基づいて、前記リーダに、直接的に、前記ターゲット後方散乱信号を送信することであってもよく、或いは、前記励起信号の前記励起に基づいて、前記リピータに、前記ターゲット後方散乱信号を送信することであってもよい。前記リピータは、さらに、前記リーダに前記ターゲット後方散乱信号を送信するように構成される。
【００１５】
ある1つの可能な設計において、当該システムは、基準タグをさらに含む。前記リピータは、さらに、前記第1の信号に基づいて、前記基準タグに前記励起信号を送信するように構成される。前記基準タグは、前記励起信号に基づいて、基準後方散乱信号を送信するように構成される。前記リーダは、さらに、前記基準後方散乱信号及び前記ターゲット後方散乱信号に基づいて、前記基準タグと前記ターゲットタグとの間の位置関係を決定し、そして、前記基準タグと前記ターゲットタグとの間の前記位置関係及び前記基準タグの位置情報に基づいて、前記ターゲットタグの位置情報を決定する、ように構成される。
【００１６】
上記の説明から、この出願のこの実施形態においては、基準タグが使用される上記の方式によって、ターゲットタグを正確に測位することが可能であるということを理解することが可能である。
【００１７】
第2の態様によれば、中継ネットワークを構築するための方法が提供される。前記中継ネットワークは、リーダ及び少なくとも1つのリピータを含む。当該方法は、前記リピータが報告する識別情報を前記リーダによって受信するステップであって、前記識別情報は、前記リピータを一意に識別するのに使用される、ステップと、前記リーダによって、前記リピータが報告する前記識別情報に基づいて、前記リピータが合法的であるか否かを決定するステップと、前記リピータが合法的であるということを決定するときに、前記リーダによって前記リピータに、第1の情報を送信するステップと、を含み、前記第1の情報は、前記中継ネットワークに接続するように前記リピータに通知するのに使用される。
【００１８】
ある1つの可能な設計において、前記リピータが報告する識別情報を前記リーダによって受信する前記ステップの前に、当該方法は、前記リーダによって第2の情報を送信するステップをさらに含み、前記第2の情報は、前記識別情報を報告するように前記リピータに通知するのに使用される。
【００１９】
ある1つの可能な設計において、前記リーダによって前記リピータに、第1の情報を送信する前記ステップの後に、当該方法は、前記リーダによって前記リピータに第3の情報を送信するステップであって、前記第3の情報は、同期を開始するように前記リピータに通知するのに使用される、ステップと、前記リピータが送信する第4の情報を前記リーダによって受信するステップであって、前記第4の情報は、前記リーダと前記リピータとの間の同期調整のために使用される、ステップと、前記リーダによって、前記第4の情報に基づいて、前記リーダと前記リピータとの間の同期調整オフセットを計算するステップと、前記リーダによって前記リピータに第5の情報を送信するステップと、を含み、前記第5の情報は、前記リーダと前記リピータとの間の前記同期調整オフセットを搬送し、前記第5の情報は、前記リピータが、前記同期調整を実行して、前記リーダとの同期を維持するのに使用される。
【００２０】
ある1つの可能な設計において、前記中継ネットワークが複数のリピータを含むときに、当該方法は、前記リーダによって、周波数分割多元接続方式、時分割多元接続方式、又は符号分割多元接続方式等の方式によって、ターゲットタグに励起信号を送信するように前記複数のリピータをスケジューリングするステップをさらに含み、前記励起信号は、後方散乱信号を送信するように前記ターゲットタグを励起するのに使用される。
【００２１】
第3の態様によれば、中継ネットワークを構築するための方法が提供される。前記中継ネットワークは、リーダ及び少なくとも1つのリピータを含む。当該方法は、前記リピータによって、前記リピータの識別情報を取得するステップであって、前記識別情報は、前記リピータを一意に識別するのに使用される、ステップと、前記リピータによって前記識別情報を報告するステップと、を含む。
【００２２】
ある1つの可能な設計において、前記リピータによって前記識別情報を報告する前記ステップの前に、当該方法は、前記リーダが送信する第2の情報を前記リピータによって受信するステップをさらに含み、前記第2の情報は、前記識別情報を報告するように前記リピータに通知するのに使用される。
【００２３】
ある1つの可能な設計において、当該方法は、前記リーダが送信する第3の情報を前記リピータによって受信するステップであって、前記第3の情報は、同期を開始するように前記リピータに通知するのに使用される、ステップと、前記リピータによって第4の情報を送信するステップであって、前記第4の情報は、前記リーダと前記リピータとの間の同期調整のために使用される、ステップと、前記リーダが送信する第5の情報を前記リピータによって受信するステップであって、前記第5の情報は、前記リーダと前記リピータとの間の同期調整オフセットを搬送する、ステップと、前記リピータによって、前記第5の情報の中で搬送される前記同期調整オフセットに基づいて、前記リーダとの同期を維持するステップと、をさらに含む。
【００２４】
第4の態様によれば、この出願は、中継ネットワークの中のリーダを提供する。中継ネットワークは、少なくとも1つのリピータをさらに含む。リーダは、第2の態様のステップのユニット又は手段(means)を実行するように構成される。
【００２５】
第5の態様によれば、この出願は、中継ネットワークの中のリピータを提供する。中継ネットワークは、リーダをさらに含む。リピータは、第3の態様のステップのユニット又は手段(means)を実行するように構成される。
【００２６】
第6の態様によれば、中継ネットワークの中のリーダが提供される。リーダは、プロセッサ及びメモリを含む。メモリは、コンピュータプログラム命令を格納する。プロセッサは、メモリの中に格納されているコンピュータプログラム命令を実行し、第2の態様にしたがった方法を実行するように構成される。
【００２７】
第7の態様によれば、中継ネットワークの中のリピータが提供される。リピータは、プロセッサ及びメモリを含む。メモリは、コンピュータプログラム命令を格納する。プロセッサは、メモリの中に格納されているコンピュータプログラム命令を実行し、第3の態様にしたがった方法を実行するように構成される。
【００２８】
第8の態様によれば、コンピュータ読み取り可能な記憶媒体が提供される。そのコンピュータ読み取り可能な記憶媒体は、命令を格納する。その命令がコンピュータによって実行されるときに、第2の態様又は第3の態様にしたがった方法をそのコンピュータが実行することを可能とする。
【００２９】
上記の説明から、この出願の複数の実施形態においては、リーダは、最初に、リピータに第1の信号を送信し、そのリピータは、その次に、その第1の信号に基づいて、ターゲットタグに励起信号を送信するということを理解することが可能である。リーダがターゲットタグに直接的に励起信号を送信する従来技術と比較して、リーダとターゲットタグとの間の通信距離を増加させることが可能である。
【図面の簡単な説明】
【００３０】
【図１】この出願のある1つの実施形態にしたがった無線周波数識別システムの概略的な図である。
【図２】この出願のある1つの実施形態にしたがった無線周波数識別システムの概略的な図である。
【図３】この出願のある1つの実施形態にしたがった無線周波数識別システムの概略的な図である。
【図４】この出願のある1つの実施形態にしたがった無線周波数識別システムの概略的な図である。
【図５】この出願のある1つの実施形態にしたがった無線周波数識別システムの概略的な図である。
【図６】この出願のある1つの実施形態にしたがったリピータ認証方法のフローチャートである。
【図７】この出願のある1つの実施形態にしたがったリピータ認証方法のフローチャートである。
【図８】この出願のある1つの実施形態にしたがったリピータ認証方法のフローチャートである。
【図９】この出願のある1つの実施形態にしたがったリピータ認証方法のフローチャートである。
【図１０】この出願のある1つの実施形態にしたがったリーダとリピータとの間の同期調整のフローチャートである。
【図１１】この出願のある1つの実施形態にしたがったリーダとリピータとの間の同期調整のフローチャートである。
【図１２】この出願のある1つの実施形態にしたがったリーダ及びリピータのスケジューリングの組合せの概略的な図である。
【図１３】この出願のある1つの実施形態にしたがった中継ネットワークの中のリーダの概略的な構成図である。
【図１４】この出願のある1つの実施形態にしたがった中継ネットワークの中のリピータの概略的な構成図である。
【図１５】この出願のある1つの実施形態にしたがった中継ネットワークの中のリーダの概略的な構成図である。
【図１６】この出願のある1つの実施形態にしたがった中継ネットワークの中のリピータの概略的な構成図である。
【発明を実施するための形態】
【００３１】
図1に示されているように、この出願のある1つの実施形態は、無線周波数識別システム100を提供する。その無線周波数識別システム100は、リーダ(reader)101、リピータ(repeater)102、及びターゲットタグ103を含む。
【００３２】
リーダ101は、リピータ102に第1の信号を送信するように構成される。
【００３３】
リピータ102は、第1の信号に基づいて、ターゲットタグ103に励起信号を送信するように構成される。
【００３４】
ターゲットタグ103は、励起信号の励起に基づいて、ターゲット後方散乱信号を送信するように構成され、そのターゲット後方散乱信号は、電子製品コード(electronic  product  code,  EPC)情報を搬送する。
【００３５】
この出願のある1つの例において、図2に示されているように、ターゲットタグ103は、リーダ101に直接的にターゲット後方散乱信号を送信してもよい。
【００３６】
この出願の他の例において、図3に示されているように、ターゲットタグ103は、リピータ102にターゲット後方散乱信号を送信してもよく、そのリピータ102は、リーダ101にそのターゲット後方散乱信号を転送してもよい。
【００３７】
リーダ101は、さらに、ターゲット後方散乱信号を受信し、そして、ターゲット後方散乱信号の中のEPC情報を取得する、ように構成される。
【００３８】
この出願のこの実施形態においては、EPC情報は、ターゲットタグ103の中に格納されていてもよい。EPC情報は、次世代製品識別コードであり、サプライチェーンの中での(例えば、品目、積荷タンク、パレット、又は位置等の)対象を全世界的且つ一意に識別してもよい。
【００３９】
この出願のこの実施態様において、リーダ101は、また、受信機等と称されてもよい。リーダ101の機能は、代替的に、基地局の中のベースバンドユニット(radio  remote  unit,  RRU)によって実装されてもよく、リーダ101は、また、RRUと称されてもよい。リーダ101の機能は、代替的に、無線ローカルエリアネットワーク無線アクセスポイント(wireless  local  area  networks  wireless  access  point,  WLAN  AP)によって実装されてもよく、リーダ101は、また、WLAN  APと称されてもよい。リピータ102は、また、励起器(exciter)又はヘルパー(Helper)等と称されてもよい。ターゲットタグは、説明を容易にする目的を有しているにすぎず、以下の基準タグとは区別される。ターゲットタグ及び基準タグは、実際には、1つのみのタグであり、"ターゲット"及び"基準"の語は、他の意味を有していない。同様に、ターゲット後方散乱信号は、説明を容易にする目的を有しているにすぎず、以下の基準後方散乱信号とは区別される。ターゲット後方散乱信号及び基準後方散乱信号の双方は、実際には、後方散乱信号であり、"ターゲット"及び"基準"の語は、他の意味を有してはいない。
【００４０】
この出願のこの実施形態においては、リピータ102が、リーダ101が送信する第1の信号に基づいて、ターゲットタグ103に励起信号を送信する以下の2つの方式を、特に、実現することが可能である。
【００４１】
方式1:  リーダ101は、第1の信号に励起パラメータを追加してもよい。第1の信号を受信するときに、リピータ102は、第1の信号の中の励起パラメータを取得し、その次に、その励起パラメータに基づいて、励起信号を生成し、そして、最終的に、ターゲットタグ103にその励起信号を送信してもよい。
【００４２】
上記の方式1から、リーダ101は、第1の信号に励起パラメータを加えることによって、励起信号を送信するようにリピータ102を制御することが可能であるということを理解することが可能である。例えば、第1の信号が電力等のパラメータを搬送する場合に、リーダ101は、励起信号の電力を送信するようにリピータ102を制御してもよい。さらに、ターゲットタグ103は、代替的に、励起信号を送信するようにリピータ102を制御することによって測位されてもよい。
【００４３】
方式2:  第1の信号は、直接的に励起信号となってもよく、具体的に言うと、リーダ101は、リピータ102に直接的に励起信号を送信してもよく、リピータ102は、ターゲットタグ103に直接的に励起信号を転送してもよく、その結果、簡単であり、便利であり、そして、迅速であるという目的を達成することが可能である。
【００４４】
上記の方式2から、リピータ102は、リーダ101が送信する励起信号を直接的に転送し、そして、いかなる処理も実行せず、それによって、そのリピータ102は、単純な機能及び比較的低い電力を有し、移動可能なシナリオに極めて適しているということを理解することが可能である。
【００４５】
上記の説明から、この出願のこの実施形態においては、リーダ101は、最初に、リピータ102に第1の信号を送信し、リピータ102は、その次に、第1の信号に基づいて、ターゲットタグ103に励起信号を送信するということを理解することが可能である。リーダ101がターゲットタグ103に直接的に励起信号を送信する従来技術と比較して、リーダ101とターゲットタグ103との間の通信距離を増加させることが可能である。
【００４６】
加えて、もとの無線周波数識別システムにおいては、全体的なシステムは、1つのリーダ及びタグを有しているにすぎないため、そのリーダは、タグに励起信号を送信し、そして、そのタグが送信する後方散乱信号を受信する必要がある。無線周波数識別システム全体は全二重であるため、励起信号は、後方散乱信号が受信されている間に同時に送信されてもよい。励起信号及び後方散乱信号は、互いに干渉する。結果として、リーダは、後方散乱信号を受信する感度が相対的に低くなる。これに対して、本願によって提供される無線周波数識別システム100においては、リーダ101は、もはや、タグに直接的には励起信号を送信せず、一方で、リピータ102は、リーダ101の制御に基づいて、ターゲットタグ103に励起信号を送信し、それによって、そのリーダ101は、もはや、後方散乱信号を受信している間に、同時に、励起信号を送信せず、その後方散乱信号は、もはや、励起信号によって干渉を受けることはなく、その結果、リーダによる後方散乱信号の受信の感度を改善する。
【００４７】
選択的に、図1、図2、又は図3に示されているように、無線周波数識別システム100は、基準タグ104をさらに含んでもよい。
【００４８】
リピータ102は、さらに、リーダ101が送信する第1の信号に基づいて、基準タグ104に励起信号を送信するように構成される。
【００４９】
リピータ102が第1の信号に基づいて基準タグ104に励起信号を送信する方式については、リピータ102が第1の信号に基づいてターゲットタグ103に励起信号を送信する上記の方式を参照するべきである。本明細書においては、詳細は繰り返しては説明されない。
【００５０】
基準タグ104は、さらに、励起信号に基づいて、基準後方散乱信号を送信するように構成される。
【００５１】
この出願のこの実施形態においては、図2に示されているように、基準タグ104は、リーダ101に基準後方散乱信号を直接的に送信してもよい。代替的に、図3に示されているように、基準タグ104は、リピータ102に基準後方散乱信号を送信してもよく、リピータ102は、リーダ101に基準後方散乱信号を転送する。
【００５２】
リーダ101は、さらに、ターゲットタグ103が送信するターゲット後方散乱信号及び基準タグ104が送信する基準後方散乱信号に基づいて、基準タグ104とターゲットタグ103との間の位置関係を決定し、そして、基準タグ104とターゲットタグ103との間の位置関係及び基準タグ104のあらかじめ設定された位置情報に基づいて、ターゲットタグ103の位置情報を決定する、ように構成される。
【００５３】
この出願のこの実施形態においては、基準タグ104は、ある位置にあらかじめ設定されていてもよく、その次に、基準タグ104の位置情報は、リーダ101に通知される。基準タグ104が送信する基準後方散乱信号及びターゲットタグ103が送信するターゲット後方散乱信号を受信するときに、リーダ101は、基準後方散乱信号及びターゲット後方散乱信号の位相情報及び電力情報等に基づいて、基準タグ104とターゲットタグ103との間の位置関係を決定してもよい。最終的に、リーダ101は、基準タグ104の位置情報に基づいて、ターゲットタグ103の位置情報を決定する。例えば、基準タグ104のあらかじめ設定された位置情報が、北緯39度、東経116度であり、基準タグ104とターゲットタグ103との間のリーダ101が取得する位置関係が、基準タグ104の位置情報とターゲットタグ103の位置情報との間の差異、すなわち、緯度差が0.001度及び経度は同じである場合に、リーダ101は、ターゲットタグ103の位置情報が、北緯39.001度及び東経116度であるということを決定してもよい。
【００５４】
上記の説明から、この出願のこの実施形態においては、上記の測位方式によって、ターゲットタグの測位精度を改善することが可能であるということを理解することが可能である。
【００５５】
この出願のこの実施形態においては、図2に示されているように、ターゲットタグ103がリーダ101に直接的にターゲット後方散乱信号を送信する例を使用することによって、この出願におけるプロセスを詳細に説明する。
【００５６】
図2に示されているように、この出願のこの実施形態においては、リーダ101は、第1の周波数においてリピータ102に第1の信号を送信してもよい。それに対応して、リピータ102は、第1の周波数において第1の信号を受信する。その次に、リピータ102は、第1の信号に基づいて、励起信号を生成してもよい。最終的に、リピータ102は、第2の周波数においてターゲットタグ103に励起信号を送信してもよい。ターゲットタグ103は、励起信号の励起に基づいて、リーダ101にターゲット後方散乱信号を送信する。
【００５７】
上述の説明から、リピータ102は、第1の周波数において第1の信号を受信し、そして、その次に、第2の周波数において励起信号を送信し、第1の周波数は、第2の周波数と同じであってもよく、又は、第2の周波数と異なっていてもよいということを理解することが可能である。例えば、第1の周波数は、免許付与された周波数帯域における周波数であってもよく、第2の周波数は、免許不要の周波数帯域における周波数であってもよい。
【００５８】
この出願のこの実施形態においては、特に、リピータ102が励起信号を送信する2つの方式が存在してもよい。方式1:  リピータ102は、第1の周波数において、リーダ101が送信する第1の信号を受信し、その次に、第1の信号の中で搬送されている励起パラメータを取得し、励起パラメータに基づいて、励起信号を生成し、そして、最終的に、第2の周波数においてターゲットタグ103に励起信号を送信する。この方式においては、リーダ101は、リピータ102が送信する励起信号の電力及び位相等の情報を制御することが可能である。方式2:  リーダ101が送信する第1の信号は、直接的に励磁信号となる。第1の周波数において励起信号を受信するときに、リピータ102は、第2の周波数において、ターゲットタグ103に直接的に励起信号を転送する。この方式においては、励起信号を受信するときに、リピータ102は、変換によって励起信号を直接的に転送し、その励起信号に対して構文解析処理を実行する必要はなく、それによって、リピータ102は、比較的低い電力消費を有し、移動可能なシナリオに適用可能である。
【００５９】
選択的に、図2に示されているように、無線周波数識別システム100は、基準タグ104をさらに含んでもよい。第1の周波数においてリーダ101が送信する第1の信号を受信した後に、リピータ102は、代替的に、第2の周波数において基準タグ104に励起信号を送信してもよい。基準タグ104は、励起信号の励起に基づいて、リーダ101に基準後方散乱信号を送信してもよい。もちろん、第1の周波数は、第2の周波数と同じであってもよく、又は、第2の周波数と異なってもよい。
【００６０】
図2に示されている実施形態においては、リーダ101は、ターゲットタグ103が送信するターゲット後方散乱信号及び基準タグ104が送信する基準後方散乱信号を使用することによって、ターゲットタグの位置情報を決定してもよく、それによって、より正確にターゲットタグを測位することが可能である。
【００６１】
この出願のこの実施形態においては、図3に示されているように、ターゲットタグ103がリピータ102にターゲット後方散乱信号を送信し、リピータ102がリーダ101にターゲット後方散乱信号を転送する例を使用することによって、この出願のプロセスを詳細に説明する。
【００６２】
この出願のこの実施形態においては、リーダ101は、第1の周波数においてリピータ102に第1の信号を送信してもよい。それ対応して、リピータ102は、第1の周波数において第1の信号を受信してもよい。その次に、リピータ102は、第1の信号に基づいて励起信号を生成し、そして、その次に、第2の周波数においてターゲットタグ103に励起信号を送信してもよい。ターゲットタグ103は、第2の周波数においてリピータ102にターゲット後方散乱信号を送信する。リピータ102は、第1の周波数においてリーダ101にターゲット後方散乱信号を送信する。
【００６３】
選択的に、図3に示されているように、無線周波数識別システム100は、基準タグ104をさらに含んでもよい。第1の周波数においてリーダ101が送信する第1の信号を受信した後に、リピータ102は、第2の周波数において基準タグ104に励起信号を送信してもよい。励起信号を受信した後に、基準タグ104は、励起信号の励起によりリピータ102に基準後方散乱信号を送信してもよい。リピータ102は、リーダ101に基準後方散乱信号を転送してもよい。
【００６４】
同様に、図3に示されている実施形態においては、リーダ101は、ターゲットタグ103が送信するターゲット後方散乱信号及び基準タグ104が送信する基準後方散乱信号を使用することによって、ターゲットタグの位置情報を決定してもよく、その結果、より正確にターゲットタグを測位することが可能である。
【００６５】
図2に示されている実施形態については、図4に示されているように、この出願は、無線周波数識別システム400を提供する。その無線周波数識別システム400においては、図2に示されているリーダ101及びWLAN  APが共設されているか、又は、リーダ101の機能がWLAN  APに統合されているか、又は、リーダ101がWLAN  APに統合され、リピータ102がインテリジェント端末であって、且つ、ターゲットタグがある1つのタグ(Tag)となっている例を使用することによって、動作プロセスを詳細に説明する。
【００６６】
図4に示されているように、無線周波数識別システム400は、リーダ401、リピータ402、及びタグ403を含む。
【００６７】
リーダ401は、端末デバイス(すなわち、リピータ402)に制御信号を送信してもよい。制御信号は、図2に示されている第1の信号に対応してもよい。
【００６８】
制御信号を受信した後に、リピータ402は、タグ403に励起信号を送信してもよい。
【００６９】
励起信号を受信した後に、タグ403は、リーダ401に後方散乱信号を送信してもよく、その後方散乱信号は、タグのEPC情報を搬送する。
【００７０】
この出願のこの実施形態においては、タグ403は、商用の受動的な無線周波数識別タグであってもよい。
【００７１】
図4に示されている無線周波数識別システム400は、(1)  リピータ402が単純な機能及び極端に低い消費電力を有するため、移動可能なシナリオにリピータ402を適用可能であり、(2)  リーダ401の受信機感度を改善し、リーダ401と受動的な無線周波数識別タグとの間の通信距離を改善することが可能であり、WLAN  AP及びリーダ401が共設され、そして、顧客の構築コストを減少させ、(3)  リーダ401の受信機感度を改善するとともに、タグの在庫の信頼性を改善することが可能であり、(4)  高度に精密な方式によってタグ403を測位することが可能である、という4つの利点を有する。タグ403は、励起信号が存在するときにのみ励起され、後方散乱され、リーダ401は、後方散乱を実行するか否かを決定するようにリピータを制御してもよい。しかしながら、リピータ402は、制限された励起範囲を有する。したがって、高度に精密な測位を実装することが可能である。
【００７２】
図3に示されている上記の実施形態については、図5に示されているように、この出願は、無線周波数識別システム500を提供する。無線周波数識別システム500においては、図3に示されているリーダ101及び基地局が共設されているか、又は、リーダ101の機能が基地局に統合されているか、又は、リーダ101が基地局に統合され、リピータ102が無線周波数識別(radio  frequency  identification,  RFID)リピータ(Repeater)であり、且つ、ターゲットタグがある1つのタグ(Tag)となっている例を使用することによって、動作プロセスを詳細に説明する。
【００７３】
図5に示されているように、無線周波数識別システム500は、基地局501、RFIDリピータ502、及びタグ503を含む。
【００７４】
基地局501は、免許付与された周波数帯域のダウンリンク周波数帯域f1においてRFIDリピータ502に励起信号を送信してもよい。
【００７５】
励起信号を受信した後に、RFIDリピータ502は、免許不要の周波数帯域のうちの周波数帯域f2においてタグ503に励起信号を転送する。
【００７６】
タグ503は、励起信号の励起により、免許不要の周波数帯域のうちの周波数帯域f2においてRFIDリピータ502に後方散乱信号を送信してもよい。タグ503は、特に、商用の受動的なRFIDタグであってもよい。
【００７７】
後方散乱信号を受信した後に、RFIDリピータ502は、免許付与された周波数帯域のうちのアップリンク周波数帯域f3において基地局501に後方散乱信号を転送してもよい。
【００７８】
基地局501は、免許付与された周波数帯域のうちのアップリンク周波数帯域f3において後方散乱信号を受信し、その後方散乱信号の中のEPC情報を取得する。
【００７９】
図5に示されている無線周波数識別システムにおいては、基地局501は、免許付与された周波数帯域を使用することによって、RFIDリピータ502と通信し、そして、RFIDリピータ502を制御して、タグ503の在庫管理を開始する。RFIDリピータ502は、基地局501が送信するアナログ信号を構文解析せず、無線周波数変換によってタグ503に直接的にそのアナログ信号を転送する。タグ503は、RFIDリピータ502に後方散乱信号を送信する。RFIDリピータ502は、変換によって基地局501にその後方散乱信号を転送する。基地局501は、その後方散乱信号をを受信し及び商用のRFIDタグデータを構文解析して、商用のRFIDタグデータのEPC情報を取得する。
【００８０】
図5に示されている無線周波数識別システム500は、(1)  基地局とタグとの間の通信距離を増加させ、それによって、マクロ基地局は、RFIDサービスをサポートすることが可能となり、(2)  RFIDリピータ502は、変換によって無線周波数信号を直接的に転送し、それによって、そのRFIDリピータは、単純な機能、高い費用対効果、及びリアルタイムデータ伝送を有し、(3)  簡単な機能、高い費用対効果、及びリアルタイムデータ伝送を実装することが可能である、という3つの利点を有する。
【００８１】
図1乃至図5によって提供される無線周波数識別システムのうちのいずれか1つに基づいて、この出願は、中継ネットワークを構築するための方法を提供する。中継ネットワークを構築することは、リーダとリピータとの間の通信ネットワークを構築することを指す。中継ネットワークを構築するプロセスは、(1)  リーダがリピータを認証すること、(2)  リーダがリピータとの同期を実行すること、(3)  リーダがリピータをスケジューリングすること、を含んでもよい。リーダがリピータをスケジューリングするプロセスは、リーダによってリピータに、第1の信号又は制御信号を送信し、それによって、そのリピータは、第1の信号又は制御信号に基づいて、タグに励起信号を送信することであってもよい。
【００８２】
特に、図6に示されているように、リーダがリピータを認証するプロセスを最初に説明する。
【００８３】
ステップS601:  リピータは、識別情報を報告し、その識別情報は、そのリピータを一意に識別するのに使用される。
【００８４】
ステップS602:  リーダは、リピータが報告する識別情報に基づいて、リピータが合法的であるか否かを決定する。リピータが合法的である場合には、ステップS603が実行され、又は、リピータが合法的でない場合には、ステップS604が実行される。
【００８５】
ステップS603:  リーダは、リピータに第1の情報を送信し、第1の情報は、中継ネットワークに接続するようにそのリピータに通知するのに使用される。
【００８６】
ステップS604:  リーダは、そのリピータによる中継ネットワークへの接続を拒否する。
【００８７】
選択的に、図6に示されている手順において、ステップS601の前に、その方法は、リーダによって第2の情報を送信するステップをさらに含み、第2の情報は、識別情報を報告するようにリピータに通知するのに使用される。
【００８８】
図6に示されている手順を参照すると、この出願は、リーダがリピータを認証する以下の3つの手順を提供する。以下の記載は、それらの手順を具体的に説明する。
【００８９】
手順1は、図7に示されている。
【００９０】
ステップS701:  リーダは、ページング信号をブロードキャストする。
【００９１】
ステップS702:  そのページング信号を受信した後に、リピータは、リーダに中継識別子を報告する。
【００９２】
ステップS703:  リーダは、肯定応答メッセージを送信し、その肯定応答メッセージは、リーダが、リピータが報告する識別情報を受信しており、そして、合法性認証が成功しているということを決定するのに使用される。
【００９３】
手順2は、図8に示されている。
【００９４】
ステップS801:  リーダは、リピータに報告要求を送信する。
【００９５】
ステップS802:  報告要求を受信した後に、リピータは、リーダに中継識別子を報告する。
【００９６】
ステップS803:  リーダは、肯定応答メッセージを送信し、その肯定応答メッセージは、リーダが、リピータが報告する識別情報を受信しており、合法性認証が成功しているということを決定するのに使用される。
【００９７】
手順3は、図9に示されている。
【００９８】
ステップS901:  リピータは、識別情報を報告する。
【００９９】
ステップS902:  リーダは、肯定応答メッセージを送信し、その肯定応答メッセージは、リーダが、リピータが報告する識別情報を受信しており、合法性認証が成功しているということを決定するのに使用される。
【０１００】
この出願のこの実施形態においては、全体的な中継ネットワークは、1つのリーダ及び1つ又は複数のリピータを含むということに留意すべきである。全体的な中継ネットワークが複数のリピータを含むときに、リーダは、順番にリピータを認証する必要がある。この出願のこの実施形態においては、リーダは、リピータのすべてに対する認証を完了した後に、(例えば、同期又はスケジューリング等の)以降のサービス手順を開始してもよく、又は、各々のリピータに対する認証を完了した後に、そのリピータについて以降のサービス手順を開始してもよい。
【０１０１】
次に、リーダがリピータとの同期を実行するプロセスを説明する。図10に示されているように、リーダがリピータとの同期を実行する手順は、以下のステップを含む。
【０１０２】
ステップS101:  リーダは、リピータに第3の情報を送信し、第3の情報は、同期を開始するようにリピータに通知するのに使用される。
【０１０３】
ステップS102:  リピータは、リーダに第4の情報を送信し、第4の情報は、リーダとリピータとの間の同期調整のために使用される。
【０１０４】
ステップS103:  リーダは、第4の情報に基づいて、リーダとリピータとの間の同期調整オフセットを算出する。
【０１０５】
ステップS104:  リーダは、リピータに第5の情報を送信し、第5の情報は、リーダとリピータとの間の同期調整オフセットを搬送し、第5の情報は、リピータが、同期調整を実行して、リーダとの同期を維持するのに使用される。
【０１０６】
この出願のこの実施形態においては、リーダ及びリピータは、非同期システムであるので、図10に示されている方法を使用して、リーダとリピータとの間の同期を維持してもよい。
【０１０７】
図10に示されている同期手順については、図11に示されているように、この出願は、特に、リーダとリピータとの間の同期手順を提供する。その手順は、以下のステップを含む。
【０１０８】
ステップS111:  リーダは、リピータに同期メッセージを送信する。
【０１０９】
ステップS112:  リピータは、リーダに同期メッセージを送信する。
【０１１０】
ステップS113:  リーダは、同期調整オフセットメッセージを送信する。
【０１１１】
ステップS114:  リピータは、同期調整オフセットメッセージに基づいて、リピータとリーダとの間の同期を完了し、リーダに同期調整完了メッセージを送信する。
【０１１２】
ステップS115:  リーダは、リピータに同期調整完了メッセージを送信する。
【０１１３】
この出願のこの実施形態においては、上記のステップS111乃至ステップS115を実行することによって、リーダとリピータとの間の同期を維持することが可能である。
【０１１４】
リーダがリピータをスケジューリングする方式を最終的に説明する。
【０１１５】
上記の説明から、この出願のこの実施形態において、全体的な中継ネットワークは、1つのリーダ及び少なくとも1つのリピータを含んでもよいということを理解することが可能である。全体的な中継ネットワークが複数のリピータを含むときに、リーダは、周波数分割多元接続方式、時分割多元接続方式、又は符号分割多元接続方式等の方式によって、それらの複数のリピータをスケジューリングして、ターゲットタグ又は基準タグに励起信号を送信してもよい。
【０１１６】
この出願のこの実施形態においては、図12に示されているように、全体的な中継ネットワークが1つのリーダ及びN個のリピータを含むということを仮定する。N個のリピータは、それぞれ、リピータ(1)、リピータ(2)、リピータ(3)、…、及びリピータ(N)である。リーダは、以下の方式によって励磁信号を送信するようにリピータをスケジューリングしてもよい。
【０１１７】
(1)  時分割多元接続方式:  リーダは、時系列で、リピータ(1)、リピータ(2)、リピータ(3)、…、リピータ(N)をスケジューリングし、それによって、各々のリピータは、対応するタグに励起信号を送信する。
【０１１８】
(2)  周波数分割多元接続方式:  リーダは、各々のリピータに異なる周波数を割り当てる。リピータは、そのリピータに割り当てられている周波数においてリーダと対話する。リーダは、複数のリピータが励起するタグ後方散乱信号を受信し及び構文解析する。
【０１１９】
(3)  符号分割多元接続方式:  リーダは、同じ周波数において複数のリピータを同時にスケジューリングすることが可能である。各々のリピータは、リピータのIDに基づいて、リーダがリピータに送信するメッセージを構文解析し、タグ後方散乱信号を励起する、すなわち、同じ周波数においてリーダとの通信対話を同時に実行するときに、複数のコードワードとして、複数のリピータのIDを使用することによって、それらの複数の異なるリピータを判別する。リーダは、それらの複数のリピータが励起するタグ後方散乱信号を受信し及び構文解析する。
【０１２０】
(4)  空間分割多元接続方式:  リーダは、空間分割によって複数のリピータをスケジューリングする。空間分割は、これらには限定されないが、MU-BF技術を含む。
【０１２１】
上記の説明から、この出願のこの実施形態においては、全体的な中継ネットワークが複数のリピータを含むときに、リーダは、複数の異なる方式によって複数のリピータをスケジューリングしてもよく、それによって、それらの複数のリピータが協働して動作するということを保証するということを理解することが可能である。
【０１２２】
上述の概念に基づいて、図13に示されているように、この出願は、さらに、中継ネットワークの中のリーダ1300を開示している。中継ネットワークは、少なくとも1つのリピータをさらに含む。中継ネットワークの中のそのリーダ1300は、リピータが報告する識別情報を受信するように構成されるトランシーバーユニット1301であって、識別情報は、リピータを一意に識別するのに使用される、トランシーバユニット1301と、
リピータが報告する識別情報に基づいて、リピータが合法的であるか否かを決定するように構成される処理ユニット1302と、を含む。
【０１２３】
トランシーバユニット1301は、さらに、リピータが合法的であるということを決定するときに、リピータに第1の情報を送信するように構成され、第1の情報は、中継ネットワークに接続するようにリピータに通知するのに使用される。
【０１２４】
選択的に、トランシーバーユニット1301は、さらに、リピータが報告する識別情報を受信する前に、第2の情報を送信するように構成され、第2の情報は、識別情報を報告するようにリピータに通知するのに使用される。
【０１２５】
ある1つの特定の例において、トランシーバーユニット1301は、さらに、リピータに第3の情報を送信し、第3の情報は、同期を開始するようにリピータに通知するのに使用され、そして、リピータが送信する第4の情報を受信する、ように構成され、第4の情報は、リーダとリピータとの間の同期調整のために使用される。処理ユニット1302は、さらに、第4の情報に基づいて、リーダとリピータとの間の同期調整オフセットを計算するように構成される。トランシーバーユニット1301は、さらに、リピータに第5の情報を送信するように構成され、第5の情報は、リーダとリピータとの間の同期調整オフセットを搬送し、第5の情報は、リピータが、同期調整を実行して、リーダとの同期を維持するのに使用される。
【０１２６】
この出願の他の例において、中継ネットワークが複数のリピータを含むときに、処理ユニット1302は、さらに、周波数分割多元接続方式、時分割多元接続方式、又は符号分割多元接続方式等の方式によって、ターゲットタグに励起信号を送信するように複数のリピータをスケジューリングするように構成され、励起信号は、後方散乱信号を送信するようにターゲットタグを励起するのに使用される。
【０１２７】
上述の概念に基づいて、さらに、図14を参照すると、この出願は、さらに、中継ネットワークの中のリピータ1400を開示している。中継ネットワークは、リーダをさらに含む。中継ネットワークの中のそのリピータ1400は、
リピータの識別情報を取得するように構成される処理ユニット1401であって、識別情報は、リピータを一意に識別するのに使用される、処理ユニット1401と、
識別情報を報告するように構成されるトランシーバーユニット1402と、を含む。
【０１２８】
選択的に、トランシーバーユニット1402は、さらに、識別情報を報告する前に、リーダが送信する第2の情報を受信するように構成され、第2の情報は、識別情報を報告するようにリピータに通知するのに使用される。
【０１２９】
選択的に、トランシーバーユニット1402は、さらに、リーダが送信する第3の情報を受信し、第3の情報は、同期を開始するようにリピータに通知するのに使用され、第4の情報を送信し、第4の情報は、リーダとリピータとの間の同期調整のために使用され、そして、リーダが送信する第5の情報を受信する、ように構成され、第5の情報は、リーダとリピータとの間の同期調整オフセットを搬送する。処理ユニット1401は、さらに、第5の情報の中で搬送される同期調整オフセットに基づいて、リーダとの同期を維持するように構成される。
【０１３０】
上述の概念に基づいて、図15に示されているように、この出願は、さらに、中継ネットワークの中のリーダ1500を開示している。リーダ1500は、プロセッサ1501及びメモリ1502を含む。
【０１３１】
メモリ1502は、コンピュータプログラム命令を格納する。
【０１３２】
プロセッサ1501は、メモリの中に格納されているコンピュータプログラム命令を実行して、中継ネットワークを構築するための上記の方法においてリーダ側が実行するステップを実行するように構成される。
【０１３３】
上述の概念に基づいて、図16に示されているように、この出願は、さらに、中継ネットワークの中のリピータ1600を開示している。リピータ1600は、プロセッサ1601及びメモリ1602を含む。
【０１３４】
メモリ1602は、コンピュータプログラム命令を格納する。
【０１３５】
プロセッサ1601は、メモリの中に格納されているコンピュータプログラム命令を実行して、中継ネットワークを構築するための上記の方法においてリピータ側が実行するステップを実行するように構成される。
【０１３６】
この出願は、さらに、コンピュータ読み取り可能な記憶媒体を提供する。コンピュータ読み取り可能な記憶媒体は、命令を格納する。命令がコンピュータによって実行されるときに、そのコンピュータが、中継ネットワークを構築するための上記の方法を実行することを可能とする。
【０１３７】
本発明によって開示されている内容と関連して説明されている方法又はアルゴリズムのステップは、ハードウェアによって実装されてもよく、又は、ソフトウェア命令を実行することによってプロセッサによって実装されてもよい。ソフトウェア命令は、対応するソフトウェアモジュールによって形成されてもよい。ソフトウェアモジュールは、RAMメモリ、フラッシュメモリ、ROMメモリ、EPROMメモリ、EEPROMメモリ、レジスタ、ハードディスク、取り外し可能な磁気ディスク、CD-ROM、又はこの技術分野において知られているいずれかの他の形態の記憶媒体の中に位置していてもよい。例えば、記憶媒体は、プロセッサに接続され、それによって、そのプロセッサは、その記憶媒体から情報を読み出すことが可能であるとともに、その記憶媒体に情報を書き込むことが可能である。もちろん、記憶媒体は、代替的に、プロセッサの構成要素であってもよい。プロセッサ及び記憶媒体は、ある1つのASICの中に位置していてもよい。加えて、ASICは、ユーザ機器の中に位置していてもよい。もちろん、プロセッサ及び記憶媒体は、代替的に、個別の構成要素として、ユーザ機器の中に存在していてもよい。
【０１３８】
当業者は、上記の1つ又は複数の例において、本発明によって説明されている複数の機能が、ハードウェア、ソフトウェア、ファームウェア、又はそれらのいずれかの組み合わせによって実装されてもよいということを認識するはずである。ソフトウェアによって実装されるときに、それらの複数の機能は、コンピュータ読み取り可能な媒体の中に格納されてもよく、又は、コンピュータ読み取り可能な媒体の中で1つ又は複数の命令又はコードとして送信されてもよい。コンピュータ読み取り可能な媒体は、コンピュータ記憶媒体及び通信媒体を含み、通信媒体は、一方の場所から他方の場所へとコンピュータプログラムを送信することを可能とするいずれかの媒体を含む。記憶媒体は、汎用コンピュータ又は専用コンピュータにアクセス可能ないずれかの利用可能な媒体であってもよい。
【０１３９】
本発明の目的、技術的解決方法、及び利点は、さらに、上記の複数の特定の実施形態において詳細に説明されている。上記の説明は、本発明の特定の実施形態であるに過ぎず、本発明の保護の範囲を限定することを意図してはいないということを理解すべきである。本発明のそれらの複数の技術的解決方法に基づいて行われるいずれかの修正、等価な置換、又は改良は、本発明の保護の範囲に属するものとする。
【手続補正３】
【補正対象書類名】図面
【補正対象項目名】図９
【補正方法】変更
【補正の内容】
【図９】
2021517693.tif 000019
【手続補正４】
【補正対象書類名】図面
【補正対象項目名】図１１
【補正方法】変更
【補正の内容】
【図１１】
2021517693.tif 000020
【国際調査報告】
2021517693.tif 000021
2021517693.tif 000022
2021517693.tif 000023
2021517693.tif 000024